(57)【特許請求の範囲】
【請求項１】
名刺を受け取った人である受取人を識別する受取人識別子と、当該受取人識別子で識別される受取人が受け取った名刺に記載された情報である１以上の名刺記載情報と、を有する受取人名刺交換情報を１以上格納している受取人名刺交換情報格納部と、
用語を受け付ける用語受付部と、
前記用語受付部が受け付けた用語に対応する名刺記載情報を含む受取人名刺交換情報が有する受取人識別子を、前記受取人名刺交換情報格納部から取得する受取人識別子取得部と、
前記受取人識別子取得部が取得した受取人識別子を出力する出力部とを備え、
前記受取人識別子取得部が取得した受取人識別子であって、その数が、他よりも多い受取人識別子を選択する受取人識別子選択部をさらに備え、
前記出力部は、前記受取人識別子取得部が取得した受取人識別子のうちの、前記受取人識別子選択部が選択した受取人識別子を出力する名刺情報管理装置。
【請求項２】
名刺を受け取った人である受取人を識別する受取人識別子と、当該受取人識別子で識別される受取人が受け取った名刺に記載された情報である１以上の名刺記載情報と、を有する受取人名刺交換情報を１以上格納している受取人名刺交換情報格納部と、
用語を受け付ける用語受付部と、
前記用語受付部が受け付けた用語に対応する名刺記載情報を含む受取人名刺交換情報が有する受取人識別子を、前記受取人名刺交換情報格納部から取得する受取人識別子取得部と、
前記受取人識別子取得部が取得した受取人識別子を出力する出力部とを備え、
前記受取人名刺交換情報は、
当該受取人名刺交換情報が有する受取人識別子が識別する受取人と、当該受取人名刺交換情報が有する名刺記載情報が示す人または組織との関連度を示す情報である関連情報を有しており、
前記受取人識別子取得部は、
前記用語受付部が受け付けた用語に対応する名刺記載情報を含む受取人名刺交換情報であって、前記関連情報が示す関連度が他よりも高い前記受取人名刺交換情報が有する前記受取人識別子を取得する名刺情報管理装置。
【請求項３】
名刺を受け取った人である受取人を識別する受取人識別子と、当該受取人識別子で識別される受取人が受け取った名刺に記載された情報である１以上の名刺記載情報と、を有する受取人名刺交換情報を１以上格納している受取人名刺交換情報格納部と、
用語を受け付ける用語受付部と、
前記用語受付部が受け付けた用語に対応する名刺記載情報を含む受取人名刺交換情報が有する受取人識別子を、前記受取人名刺交換情報格納部から取得する受取人識別子取得部と、
前記受取人識別子取得部が取得した受取人識別子を出力する出力部とを備え、
前記受取人名刺交換情報は、
当該受取人名刺交換情報に対応する名刺を受け取った時期である受取時期を示す情報である受取時期情報を有しており、
前記受取人識別子取得部は、
前記用語受付部が受け付けた用語に対応する名刺記載情報を有する受取人名刺交換情報であって、他よりも現在に近い受取時期を示す前記受取時期情報を含む前記受取人名刺交換情報が有する前記受取人識別子を取得する名刺情報管理装置。
【請求項４】
前記受取人識別子取得部は、
前記受取人名刺交換情報について、前記受取時期情報が示す時期と現在の時期とから、名刺の受取時期から現在までの経過期間を取得し、
前記用語受付部が受け付けた用語に対応する名刺記載情報を含む受取人名刺交換情報であって、前記経過期間が、予め指定した期間以内である前記受取人名刺交換情報が有する受取人識別子を取得する請求項３記載の名刺情報管理装置。
【請求項５】
名刺を受け取った人である受取人を識別する受取人識別子と、当該受取人識別子で識別される受取人が受け取った名刺に記載された情報である１以上の名刺記載情報と、を有する受取人名刺交換情報を１以上格納している受取人名刺交換情報格納部と、
用語を受け付ける用語受付部と、
前記用語受付部が受け付けた用語に対応する名刺記載情報を含む受取人名刺交換情報が有する受取人識別子を、前記受取人名刺交換情報格納部から取得する受取人識別子取得部と、
前記受取人識別子取得部が取得した受取人識別子を出力する出力部とを備え、
グループを示す情報であるグループ属性情報と、前記受取人に対応する受取人識別子とを対応付ける情報である受取人情報が格納され得る受取人情報格納部と、
前記用語を入力するユーザの前記グループ属性情報を取得するグループ属性情報取得部とをさらに備え、
前記受取人識別子取得部は、
前記用語受付部が受け付けた用語に対応する名刺記載情報を含む受取人名刺交換情報が有する前記受取人識別子であって、前記受取人情報から取得した当該受取人識別子に対応するグループ属性情報が、前記グループ属性情報取得部が取得したグループ属性情報と一致する受取人識別子を、前記受取人名刺交換情報格納部から取得する名刺情報管理装置。
【請求項６】
名刺を受け取った人である受取人を識別する受取人識別子と、当該受取人識別子で識別される受取人が受け取った名刺に記載された情報である１以上の名刺記載情報と、を有する受取人名刺交換情報を１以上格納している受取人名刺交換情報格納部と、
用語を受け付ける用語受付部と、
前記用語受付部が受け付けた用語に対応する名刺記載情報を含む受取人名刺交換情報が有する受取人識別子を、前記受取人名刺交換情報格納部から取得する受取人識別子取得部と、
前記受取人識別子取得部が取得した受取人識別子を出力する出力部とを備え、
前記受取人名刺交換情報は、
当該受取人名刺交換情報が有する受取人識別子が識別する受取人と、当該受取人名刺交換情報が有する名刺記載情報が示す人または組織との関連度を示す情報である関連情報を有しており、
前記受取人識別子取得部が取得した受取人識別子について、当該受取人識別子を含む受取人名刺交換情報が有する前記関連情報から、当該関連情報が示す関連度の高さが高くなると重み付けが大きくなる値である重み付け値を取得し、前記受取人識別子取得部が取得した受取人識別子であって、前記重み付け値の合計が、他よりも重み付けが大きいことを示す受取人識別子を選択する受取人識別子選択部をさらに備え、
前記出力部は、前記受取人識別子取得部が取得した受取人識別子のうちの、前記受取人識別子選択部が選択した受取人識別子を出力する名刺情報管理装置。
【請求項７】
名刺を受け取った人である受取人を識別する受取人識別子と、当該受取人識別子で識別される受取人が受け取った名刺に記載された情報である１以上の名刺記載情報と、を有する受取人名刺交換情報を１以上格納している受取人名刺交換情報格納部と、
用語を受け付ける用語受付部と、
前記用語受付部が受け付けた用語に対応する名刺記載情報を含む受取人名刺交換情報が有する受取人識別子を、前記受取人名刺交換情報格納部から取得する受取人識別子取得部と、
前記受取人識別子取得部が取得した受取人識別子を出力する出力部とを備え、
前記受取人名刺交換情報は、
当該受取人名刺交換情報に対応する名刺を受け取った時期である受取時期を示す情報である受取時期情報を有しており、
前記受取人識別子取得部は、
前記受取人名刺交換情報について、前記受取時期情報が示す時期と現在の時期とから、名刺の受取時期から現在までの経過期間を取得し、前記用語受付部が受け付けた用語に対応する名刺記載情報を含む受取人名刺交換情報であって、前記経過期間が、予め指定した期間以内である前記受取人名刺交換情報が有する受取人識別子を取得し、
前記受取人識別子取得部が取得した受取人識別子について、当該受取人識別子に対応する前記経過期間に対応する、当該経過期間の長さが長くなると重み付けが小さくなる値である重み付け値を取得し、前記受取人識別子取得部が取得した受取人識別子であって、前記重み付け値の合計が、他よりも重み付けが大きいことを示す受取人識別子を選択する受取人識別子選択部をさらに備え、
前記出力部は、前記受取人識別子取得部が取得した受取人識別子のうちの、前記受取人識別子選択部が選択した受取人識別子を出力する名刺情報管理装置。
【請求項８】
前記受取人識別子取得部が取得した受取人識別子であって、その数が、他よりも多い受取人識別子を選択する受取人識別子選択部をさらに備え、
前記出力部は、前記受取人識別子取得部が取得した受取人識別子のうちの、前記受取人識別子選択部が選択した受取人識別子を出力する請求項２から請求項７いずれか記載の名刺情報管理装置。
【請求項９】
前記受取人識別子取得部は、
前記用語受付部が受け付けた用語に一致する用語を含む名刺記載情報を有する受取人名刺交換情報が有する受取人識別子を取得する請求項１から請求項８いずれか記載の名刺情報管理装置。
【請求項１０】
前記名刺記載情報の一つは、ＵＲＬであり
前記受取人識別子取得部は、
前記名刺記載情報のＵＲＬを取得するＵＲＬ取得手段と、
前記ＵＲＬ取得手段が取得したＵＲＬが指定するＷＥＢページの情報を取得するＷＥＢページ取得手段と、
当該ＷＥＢページの情報から、前記用語受付部が受け付けた用語との関連を判断する関連判断手段と、
前記関連判断手段が関連があると判断したＷＥＢページのＵＲＬを含む受取人名刺交換情報が有する受取人識別子を取得する受取人識別子取得手段とを備えた請求項１から請求項９いずれか記載の名刺情報管理装置。
【請求項１１】
名刺を受け取った人である受取人を識別する受取人識別子と、当該受取人識別子で識別される受取人が受け取った名刺に記載された情報である１以上の名刺記載情報と、を有する受取人名刺交換情報を１以上格納している受取人名刺交換情報格納部と、用語受付部と、受取人識別子取得部と、出力部と、受取人識別子選択部とを用いて行われる名刺情報管理方法であって、
前記用語受付部が、用語を受け付ける用語受付ステップと、
前記受取人識別子取得部が、前記用語受付ステップで受け付けた用語に対応する名刺記載情報を含む受取人名刺交換情報が有する受取人識別子を、前記受取人名刺交換情報格納部から取得する受取人識別子取得ステップと、
前記出力部が、前記受取人識別子取得ステップで取得した受取人識別子を出力する出力ステップとを備え、
前記受取人識別子選択部が、前記受取人識別子取得ステップで取得した受取人識別子であって、その数が、他よりも多い受取人識別子を選択する受取人識別子選択ステップをさらに備え、
前記出力ステップは、前記受取人識別子取得ステップで取得した受取人識別子のうちの、前記受取人識別子選択ステップで選択した受取人識別子を出力する名刺情報管理方法。
【請求項１２】
名刺を受け取った人である受取人を識別する受取人識別子と、当該受取人識別子で識別される受取人が受け取った名刺に記載された情報である１以上の名刺記載情報と、を有する受取人名刺交換情報を１以上格納している受取人名刺交換情報格納部と、用語受付部と、受取人識別子取得部と、出力部とを用いて行われる名刺情報管理方法であって、
前記用語受付部が、用語を受け付ける用語受付ステップと、
前記受取人識別子取得部が、前記用語受付ステップで受け付けた用語に対応する名刺記載情報を含む受取人名刺交換情報が有する受取人識別子を、前記受取人名刺交換情報格納部から取得する受取人識別子取得ステップと、
前記出力部が、前記受取人識別子取得ステップで取得した受取人識別子を出力する出力ステップとを備え、
前記受取人名刺交換情報は、
当該受取人名刺交換情報が有する受取人識別子が識別する受取人と、当該受取人名刺交換情報が有する名刺記載情報が示す人または組織との関連度を示す情報である関連情報を有しており、
前記受取人識別子取得ステップは、
前記用語受付ステップで受け付けた用語に対応する名刺記載情報を含む受取人名刺交換情報であって、前記関連情報が示す関連度が他よりも高い前記受取人名刺交換情報が有する前記受取人識別子を取得する名刺情報管理方法。
【請求項１３】
名刺を受け取った人である受取人を識別する受取人識別子と、当該受取人識別子で識別される受取人が受け取った名刺に記載された情報である１以上の名刺記載情報と、を有する受取人名刺交換情報を１以上格納している受取人名刺交換情報格納部と、用語受付部と、受取人識別子取得部と、出力部とを用いて行われる名刺情報管理方法であって、
前記用語受付部が、用語を受け付ける用語受付ステップと、
前記受取人識別子取得部が、前記用語受付ステップで受け付けた用語に対応する名刺記載情報を含む受取人名刺交換情報が有する受取人識別子を、前記受取人名刺交換情報格納部から取得する受取人識別子取得ステップと、
前記出力部が、前記受取人識別子取得ステップで取得した受取人識別子を出力する出力ステップとを備え、
前記受取人名刺交換情報は、
当該受取人名刺交換情報に対応する名刺を受け取った時期である受取時期を示す情報である受取時期情報を有しており、
前記受取人識別子取得ステップは、
前記用語受付ステップで受け付けた用語に対応する名刺記載情報を有する受取人名刺交換情報であって、他よりも現在に近い受取時期を示す前記受取時期情報を含む前記受取人名刺交換情報が有する前記受取人識別子を取得する名刺情報管理方法。
【請求項１４】
名刺を受け取った人である受取人を識別する受取人識別子と、当該受取人識別子で識別される受取人が受け取った名刺に記載された情報である１以上の名刺記載情報と、を有する受取人名刺交換情報を１以上格納している受取人名刺交換情報格納部と、用語受付部と、受取人識別子取得部と、出力部と、グループを示す情報であるグループ属性情報と、前記受取人に対応する受取人識別子と、を対応付ける情報である受取人情報が格納され得る受取人情報格納部と、グループ属性情報取得部とを用いて行われる名刺情報管理方法であって、
前記用語受付部が、用語を受け付ける用語受付ステップと、
前記受取人識別子取得部が、前記用語受付ステップで受け付けた用語に対応する名刺記載情報を含む受取人名刺交換情報が有する受取人識別子を、前記受取人名刺交換情報格納部から取得する受取人識別子取得ステップと、
前記出力部が、前記受取人識別子取得ステップで取得した受取人識別子を出力する出力ステップとを備え、
前記グループ属性情報取得部が、前記用語を入力するユーザの前記グループ属性情報を取得するグループ属性情報取得ステップをさらに備え、
前記受取人識別子取得ステップは、
前記用語受付ステップで受け付けた用語に対応する名刺記載情報を含む受取人名刺交換情報が有する前記受取人識別子であって、前記受取人情報から取得した当該受取人識別子に対応するグループ属性情報が、前記グループ属性情報取得ステップで取得したグループ属性情報と一致する受取人識別子を、前記受取人名刺交換情報格納部から取得する名刺情報管理方法。
【請求項１５】
名刺を受け取った人である受取人を識別する受取人識別子と、当該受取人識別子で識別される受取人が受け取った名刺に記載された情報である１以上の名刺記載情報と、を有する受取人名刺交換情報を１以上格納している受取人名刺交換情報格納部と、用語受付部と、受取人識別子取得部と、出力部と、受取人識別子選択部とを用いて行われる名刺情報管理方法であって、
前記用語受付部が、用語を受け付ける用語受付ステップと、
前記受取人識別子取得部が、前記用語受付ステップで受け付けた用語に対応する名刺記載情報を含む受取人名刺交換情報が有する受取人識別子を、前記受取人名刺交換情報格納部から取得する受取人識別子取得ステップと、
前記出力部が、前記受取人識別子取得ステップで取得した受取人識別子を出力する出力ステップとを備え、
前記受取人名刺交換情報は、
当該受取人名刺交換情報が有する受取人識別子が識別する受取人と、当該受取人名刺交換情報が有する名刺記載情報が示す人または組織との関連度を示す情報である関連情報を有しており、
前記受取人識別子選択部が、前記受取人識別子取得ステップで取得した受取人識別子について、当該受取人識別子を含む受取人名刺交換情報が有する前記関連情報から、当該関連情報が示す関連度の高さが高くなると重み付けが大きくなる値である重み付け値を取得し、前記受取人識別子取得ステップで取得した受取人識別子であって、前記重み付け値の合計が、他よりも重み付けが大きいことを示す受取人識別子を選択する受取人識別子選択ステップをさらに備え、
前記出力ステップは、
前記受取人識別子取得部が取得した受取人識別子のうちの、前記受取人識別子選択部が選択した受取人識別子を出力する名刺情報管理方法。
【請求項１６】
名刺を受け取った人である受取人を識別する受取人識別子と、当該受取人識別子で識別される受取人が受け取った名刺に記載された情報である１以上の名刺記載情報と、を有する受取人名刺交換情報を１以上格納している受取人名刺交換情報格納部と、用語受付部と、受取人識別子取得部と、出力部と、受取人識別子選択部とを用いて行われる名刺情報管理方法であって、
前記用語受付部が、用語を受け付ける用語受付ステップと、
前記受取人識別子取得部が、前記用語受付ステップで受け付けた用語に対応する名刺記載情報を含む受取人名刺交換情報が有する受取人識別子を、前記受取人名刺交換情報格納部から取得する受取人識別子取得ステップと、
前記出力部が、前記受取人識別子取得ステップで取得した受取人識別子を出力する出力ステップとを備え、
前記受取人名刺交換情報は、
当該受取人名刺交換情報に対応する名刺を受け取った時期である受取時期を示す情報である受取時期情報を有しており、
前記受取人識別子取得ステップは、
前記受取人名刺交換情報について、前記受取時期情報が示す時期と現在の時期とから、名刺の受取時期から現在までの経過期間を取得し、前記用語受付部が受け付けた用語に対応する名刺記載情報を含む受取人名刺交換情報であって、前記経過期間が、予め指定した期間以内である前記受取人名刺交換情報が有する受取人識別子を取得し、
前記受取人識別子選択部が、前記受取人識別子取得ステップで取得した受取人識別子について、当該受取人識別子に対応する前記経過期間に対応する、当該経過期間の長さが長くなると重み付けが小さくなる値である重み付け値を取得し、前記受取人識別子取得ステップで取得した受取人識別子であって、前記重み付け値の合計が、他よりも重み付けが大きいことを示す受取人識別子を選択する受取人識別子選択ステップをさらに備え、
前記出力ステップは、
前記受取人識別子取得ステップで取得した受取人識別子のうちの、前記受取人識別子選択ステップで選択した受取人識別子を出力する名刺情報管理方法。
【請求項１７】
コンピュータを、
用語を受け付ける用語受付部と、
名刺を受け取った人である受取人を識別する受取人識別子と、当該受取人識別子で識別される受取人が受け取った名刺に記載された情報である１以上の名刺記載情報と、を有する受取人名刺交換情報を１以上格納している受取人名刺交換情報格納部から、前記用語受付部が受け付けた用語に対応する名刺記載情報を含む受取人名刺交換情報が有する受取人識別子を取得する受取人識別子取得部と、
前記受取人識別子取得部が取得した受取人識別子を出力する出力部として機能させるためのプログラムであって、
前記コンピュータを、さらに、
前記受取人識別子取得部が取得した受取人識別子であって、その数が、他よりも多い受取人識別子を選択する受取人識別子選択部として機能させ、
前記出力部は、前記受取人識別子取得部が取得した受取人識別子のうちの、前記受取人識別子選択部が選択した受取人識別子を出力するプログラム。
【請求項１８】
コンピュータを、
用語を受け付ける用語受付部と、
名刺を受け取った人である受取人を識別する受取人識別子と、当該受取人識別子で識別される受取人が受け取った名刺に記載された情報である１以上の名刺記載情報と、を有する受取人名刺交換情報を１以上格納している受取人名刺交換情報格納部から、前記用語受付部が受け付けた用語に対応する名刺記載情報を含む受取人名刺交換情報が有する受取人識別子を取得する受取人識別子取得部と、
前記受取人識別子取得部が取得した受取人識別子を出力する出力部として機能させるためのプログラムであって、
前記受取人名刺交換情報は、当該受取人名刺交換情報が有する受取人識別子が識別する受取人と、当該受取人名刺交換情報が有する名刺記載情報が示す人または組織との関連度を示す情報である関連情報を有しており、
前記受取人識別子取得部は、前記用語受付部が受け付けた用語に対応する名刺記載情報を含む受取人名刺交換情報であって、前記関連情報が示す関連度が他よりも高い前記受取人名刺交換情報が有する前記受取人識別子を取得するプログラム。
【請求項１９】
コンピュータを、
用語を受け付ける用語受付部と、
名刺を受け取った人である受取人を識別する受取人識別子と、当該受取人識別子で識別される受取人が受け取った名刺に記載された情報である１以上の名刺記載情報と、を有する受取人名刺交換情報を１以上格納している受取人名刺交換情報格納部から、前記用語受付部が受け付けた用語に対応する名刺記載情報を含む受取人名刺交換情報が有する受取人識別子を取得する受取人識別子取得部と、
前記受取人識別子取得部が取得した受取人識別子を出力する出力部として機能させるためのプログラムであって、
前記受取人名刺交換情報は、当該受取人名刺交換情報に対応する名刺を受け取った時期である受取時期を示す情報である受取時期情報を有しており、
前記受取人識別子取得部は、前記用語受付部が受け付けた用語に対応する名刺記載情報を有する受取人名刺交換情報であって、他よりも現在に近い受取時期を示す前記受取時期情報を含む前記受取人名刺交換情報が有する前記受取人識別子を取得するプログラム。
【請求項２０】
コンピュータを、
用語を受け付ける用語受付部と、
名刺を受け取った人である受取人を識別する受取人識別子と、当該受取人識別子で識別される受取人が受け取った名刺に記載された情報である１以上の名刺記載情報と、を有する受取人名刺交換情報を１以上格納している受取人名刺交換情報格納部から、前記用語受付部が受け付けた用語に対応する名刺記載情報を含む受取人名刺交換情報が有する受取人識別子を取得する受取人識別子取得部と、
前記受取人識別子取得部が取得した受取人識別子を出力する出力部として機能させるためのプログラムであって、
前記コンピュータを、さらに、
前記用語を入力するユーザのグループを示す情報であるグループ属性情報を取得するグループ属性情報取得部として機能させ、
前記受取人識別子取得部は、前記用語受付部が受け付けた用語に対応する名刺記載情報を含む受取人名刺交換情報が有する前記受取人識別子であって、受取人情報格納部に格納されているグループ属性情報と、前記受取人に対応する受取人識別子と、を対応付ける情報である受取人情報から取得した当該受取人識別子に対応するグループ属性情報が、前記グループ属性情報取得部が取得したグループ属性情報と一致する受取人識別子を、前記受取人名刺交換情報格納部から取得するプログラム。
【請求項２１】
コンピュータを、
用語を受け付ける用語受付部と、
名刺を受け取った人である受取人を識別する受取人識別子と、当該受取人識別子で識別される受取人が受け取った名刺に記載された情報である１以上の名刺記載情報と、を有する受取人名刺交換情報を１以上格納している受取人名刺交換情報格納部から、前記用語受付部が受け付けた用語に対応する名刺記載情報を含む受取人名刺交換情報が有する受取人識別子を取得する受取人識別子取得部と、
前記受取人識別子取得部が取得した受取人識別子を出力する出力部として機能させるためのプログラムであって、
前記受取人名刺交換情報は、当該受取人名刺交換情報が有する受取人識別子が識別する受取人と、当該受取人名刺交換情報が有する名刺記載情報が示す人または組織との関連度を示す情報である関連情報を有しており、
前記コンピュータを、さらに、
前記受取人識別子取得部が取得した受取人識別子について、当該受取人識別子を含む受取人名刺交換情報が有する前記関連情報から、当該関連情報が示す関連度の高さが高くなると重み付けが大きくなる値である重み付け値を取得し、前記受取人識別子取得部が取得した受取人識別子であって、前記重み付け値の合計が、他よりも重み付けが大きいことを示す受取人識別子を選択する受取人識別子選択部として機能させ、
前記出力部は、前記受取人識別子取得部が取得した受取人識別子のうちの、前記受取人識別子選択部が選択した受取人識別子を出力するプログラム。
【請求項２２】
コンピュータを、
用語を受け付ける用語受付部と、
名刺を受け取った人である受取人を識別する受取人識別子と、当該受取人識別子で識別される受取人が受け取った名刺に記載された情報である１以上の名刺記載情報と、を有する受取人名刺交換情報を１以上格納している受取人名刺交換情報格納部から、前記用語受付部が受け付けた用語に対応する名刺記載情報を含む受取人名刺交換情報が有する受取人識別子を取得する受取人識別子取得部と、
前記受取人識別子取得部が取得した受取人識別子を出力する出力部として機能させるためのプログラムであって、
前記受取人名刺交換情報は、当該受取人名刺交換情報に対応する名刺を受け取った時期である受取時期を示す情報である受取時期情報を有しており、
前記受取人識別子取得部は、前記受取人名刺交換情報について、前記受取時期情報が示す時期と現在の時期とから、名刺の受取時期から現在までの経過期間を取得し、前記用語受付部が受け付けた用語に対応する名刺記載情報を含む受取人名刺交換情報であって、前記経過期間が、予め指定した期間以内である前記受取人名刺交換情報が有する受取人識別子を取得し、
前記コンピュータを、さらに、
前記受取人識別子取得部が取得した受取人識別子について、当該受取人識別子に対応する前記経過期間に対応する、当該経過期間の長さが長くなると重み付けが小さくなる値である重み付け値を取得し、前記受取人識別子取得部が取得した受取人識別子であって、前記重み付け値の合計が、他よりも重み付けが大きいことを示す受取人識別子を選択する受取人識別子選択部として機能させ、
前記出力部は、前記受取人識別子取得部が取得した受取人識別子のうちの、前記受取人識別子選択部が選択した受取人識別子を出力するプログラム。
【発明の詳細な説明】
【技術分野】
【０００１】
本発明は、交換した名刺の情報を管理する名刺情報管理装置等に関するものである。
【背景技術】
【０００２】
従来、複数のユーザが情報を共有できる名刺情報のデータベースを設け、いずれかのユーザから入力された名刺の更新情報は全てのユーザ間で共有される名刺情報検索装置があった。かかる名刺情報検索装置は、誰が誰から名刺をもらったかという情報を併せて登録することにより、人脈情報を得ることができる装置である（特許文献１参照）。
【０００３】
また、名刺情報データベースを備えた情報処理システムであって、交渉先担当者の名刺情報を格納する交渉先情報テーブル、交渉元担当者の名刺情報を格納する交渉元情報テーブル、名刺情報の授受により構築されるヒューマンリレーションを名刺情報間のリンクとして格納するリンクテーブルを記憶する第１記憶手段と、担当者に対応づけて、該担当者の営業力評価値を記憶する第２記憶手段と、交渉元担当者からの入力に基づいて、第１記憶手段の各テーブルに名刺情報を登録・更新・管理する登録手段と、第１記憶手段のリンクテーブルに基づいて、名刺情報により特定される個人又は／及び該個人が属するグループの営業力評価値を算出し、第２記憶手段の記憶内容を更新する評価手段と、を備えることを特徴とする情報処理システムがあった（特許文献２参照）。
【特許文献１】特開平１１−６６０８２公報（第１頁、第１図等）
【特許文献２】特許第３３９６４７４号（第１頁、第１図等）
【発明の開示】
【発明が解決しようとする課題】
【０００４】
しかしながら、従来の名刺情報管理装置においては、名刺情報を用いて、特定の用語に対応した情報に関して人脈を有している人、即ち、特定の用語に対応した情報についてよく知っている人を、よく知っている人を探し出すことが容易に行えないという課題があった。
【０００５】
例えば、ある技術用語が示す技術を専門としている企業の人の名刺を持っている人は、当該企業の人との人脈があると考えられることから、前述の技術用語に対応した情報に関して人脈を持っている人と考えられる可能性が高いが、従来の装置においては、技術用語からこのような人を探し出すことを容易に行うことができなかった。
【課題を解決するための手段】
【０００６】
本発明の名刺情報管理装置は、名刺を受け取った人である受取人を識別する受取人識別子と、当該受取人識別子で識別される受取人が受け取った名刺に記載された情報である１以上の名刺記載情報と、を有する受取人名刺交換情報を１以上格納している受取人名刺交換情報格納部と、用語を受け付ける用語受付部と、前記用語受付部が受け付けた用語に対応する名刺記載情報を含む受取人名刺交換情報が有する受取人識別子を、前記受取人名刺交換情報格納部から取得する受取人識別子取得部と、前記受取人識別子取得部が取得した受取人識別子を出力する出力部とを備えた名刺情報管理装置である。
【０００７】
かかる構成により、受け付けた用語に対応した名刺を多く受け取った人を検出することができ、用語に対応した技術等についてよく知る人たちの人脈を有する人を検出することができる。
【０００８】
また、本発明の名刺情報管理装置は、前記名刺情報管理装置において、前記受取人識別子取得部が取得した受取人識別子であって、その数が、他よりも多い受取人識別子を選択する受取人識別子選択部をさらに備え、前記出力部は、前記受取人識別子取得部が取得した受取人識別子のうちの、前記受取人識別子選択部が選択した受取人識別子を出力する名刺情報管理装置である。
【０００９】
かかる構成により、受け付けた用語に対応した名刺をより多く受け取った人を検出することができ、用語に対応した技術等に関して、太い人脈を有する人を検出することができる。
【００１０】
また、本発明の名刺情報管理装置は、前記名刺情報管理装置において、前記受取人識別子取得部は、前記用語受付部が受け付けた用語に一致する用語を含む名刺記載情報を有する受取人名刺交換情報が有する受取人識別子を取得する名刺情報管理装置である。
【００１１】
かかる構成により、用語に対応した技術等に関して人脈を有する人を検出することができる。
【００１２】
また、本発明の名刺情報管理装置は、前記名刺情報管理装置において、前記名刺記載情報の一つは、ＵＲＬであり前記受取人識別子取得部は、前記名刺記載情報のＵＲＬを取得するＵＲＬ取得手段と、前記ＵＲＬ取得手段が取得したＵＲＬが指定するＷＥＢページの情報を取得するＷＥＢページ取得手段と、当該ＷＥＢページの情報から、前記用語受付部が受け付けた用語との関連を判断する関連判断手段と、前記関連判断手段が関連があると判断したＷＥＢページのＵＲＬを含む受取人名刺交換情報が有する受取人識別子を取得する受取人識別子取得手段とを備えた名刺情報管理装置である。
【００１３】
かかる構成により、各名刺の記載者が、名刺に記載されているＵＲＬからたどることが可能な情報も含めて用語に関連した人であるか判断することができる。これにより、用語に関する人脈のある人を、より正確に抽出することが可能となる。
【００１４】
また、本発明の名刺情報管理装置は、前記名刺情報管理装置において、前記受取人名刺交換情報は、当該受取人名刺交換情報が有する受取人識別子が識別する受取人と、当該受取人名刺交換情報が有する名刺記載情報が示す人または組織との関連度を示す情報である関連情報を有しており、前記受取人識別子取得部は、前記用語受付部が受け付けた用語に対応する名刺記載情報を含む受取人名刺交換情報であって、前記関連情報が示す関連度が他よりも高い前記受取人名刺交換情報が有する前記受取人識別子を取得する名刺情報管理装置である。
【００１５】
かかる構成により、名刺の記載者との関連度が高い、例えばコンタクト数が多い名刺の受取人を提示することで、単に名刺交換しただけでなく、実質的な交流のある記載者との人脈を重視して、人脈のある受取人を提示することができる。
【００１６】
また、本発明の名刺情報管理装置は、前記名刺情報管理装置において、前記受取人名刺交換情報は、当該受取人名刺交換情報に対応する名刺を受け取った時期である受取時期を示す情報である受取時期情報を有しており、前記受取人識別子取得部は、前記用語受付部が受け付けた用語に対応する名刺記載情報を有する受取人名刺交換情報であって、他よりも現在に近い受取時期を示す前記受取時期情報を含む前記受取人名刺交換情報が有する前記受取人識別子を取得する名刺情報管理装置である。
【００１７】
かかる構成により、最新の人脈をもとに、人脈のある人を選択して提示することができる。
【００１８】
また、本発明の名刺情報管理装置は、前記名刺情報管理装置において、前記受取人識別子取得部は、前記受取人名刺交換情報について、前記受取時期情報が示す時期と現在の時期とから、名刺の受取時期から現在までの経過期間を取得し、前記用語受付部が受け付けた用語に対応する名刺記載情報を含む受取人名刺交換情報であって、前記経過期間が、予め指定した期間以内である前記受取人名刺交換情報が有する受取人識別子を取得する名刺情報管理装置である。
【００１９】
かかる構成により、最新の人脈をもとに、人脈のある人を選択して提示することができる。
【００２０】
また、本発明の名刺情報管理装置は、前記名刺情報管理装置において、グループを示す情報であるグループ属性情報と、前記受取人に対応する受取人識別子とを対応付ける情報である受取人情報が格納され得る受取人情報格納部と、前記用語を入力するユーザの前記グループ属性情報を取得するグループ属性情報取得部とをさらに備え、前記受取人識別子取得部は、前記用語受付部が受け付けた用語に対応する名刺記載情報を含む受取人名刺交換情報が有する前記受取人識別子であって、前記受取人情報から取得した当該受取人識別子に対応するグループ属性情報が、前記グループ属性情報取得部が取得したグループ属性情報と一致する受取人識別子を、前記受取人名刺交換情報格納部から取得する名刺情報管理装置である。
【００２１】
かかる構成により、用語を指定したユーザと同じグループ属性情報を有する受取人の中から、指定した用語に対応する記載内容を有している名刺を受け取った人を提示することができ、ユーザが実質的に連絡をとりやすい人だけ、例えば同じ会社の人だけを提示することが可能となる。また、人脈を利用できる範囲を制限することができる。
【００２２】
また、本発明の名刺情報管理装置は、前記名刺情報管理装置において、前記受取人名刺交換情報は、当該受取人名刺交換情報が有する受取人識別子が識別する受取人と、当該受取人名刺交換情報が有する名刺記載情報が示す人または組織との関連度を示す情報である関連情報を有しており、前記受取人識別子取得部が取得した受取人識別子について、当該受取人識別子を含む受取人名刺交換情報が有する前記関連情報から、当該関連情報が示す関連度の高さが高くなると重み付けが大きくなる値である重み付け値を取得し、前記受取人識別子取得部が取得した受取人識別子であって、前記重み付け値の合計が、他よりも重み付けが大きいことを示す受取人識別子を選択する受取人識別子選択部をさらに備え、前記出力部は、前記受取人識別子取得部が取得した受取人識別子のうちの、前記受取人識別子選択部が選択した受取人識別子を出力する名刺情報管理装置である。
【００２３】
かかる構成により、関連度の低い記載者の名刺についての、重み付けを低くすることで、実質的な交流のある記載者との人脈を重視して、人脈のある受取人を提示することができる。
【００２４】
また、本発明の名刺情報管理装置は、前記名刺情報管理装置において、前記受取人名刺交換情報は、当該受取人名刺交換情報に対応する名刺を受け取った時期である受取時期を示す情報である受取時期情報を有しており、前記受取人識別子取得部は、前記受取人名刺交換情報について、前記受取時期情報が示す時期と現在の時期とから、名刺の受取時期から現在までの経過期間を取得し、前記用語受付部が受け付けた用語に対応する名刺記載情報を含む受取人名刺交換情報であって、前記経過期間が、予め指定した期間以内である前記受取人名刺交換情報が有する受取人識別子を取得し、前記受取人識別子取得部が取得した受取人識別子について、当該受取人識別子に対応する前記経過期間に対応する、当該経過期間の長さが長くなると重み付けが小さくなる値である重み付け値を取得し、前記受取人識別子取得部が取得した受取人識別子であって、前記重み付け値の合計が、他よりも重み付けが大きいことを示す受取人識別子を選択する受取人識別子選択部をさらに備え、前記出力部は、前記受取人識別子取得部が取得した受取人識別子のうちの、前記受取人識別子選択部が選択した受取人識別子を出力する名刺情報管理装置である。
【００２５】
かかる構成により、古い名刺等の情報を、重み付けを低くすることで、最新の人脈をもとに、人脈のある人を選択して提示することができる。
【発明の効果】
【００２６】
本発明による名刺情報管理装置によれば、用語に対応した技術等に関して人脈を有する人を検出することができる。
【発明を実施するための最良の形態】
【００２７】
以下、名刺情報管理装置等の実施形態について図面を参照して説明する。なお、実施の形態において同じ符号を付した構成要素は同様の動作を行うので、再度の説明を省略する場合がある。
【００２８】
（実施の形態１）
図１は、本実施の形態における名刺情報管理システムの概念図である。名刺情報管理システム１は、名刺情報管理装置１０、名刺情報入力装置１１、入出力装置１２を具備する。名刺情報管理装置１０は、例えば、サーバ装置といわれる装置である。名刺情報入力装置１１は、例えば、スキャナとパーソナルコンピュータを備えている。また、入出力装置１２は、例えば、パーソナルコンピュータである。名刺情報管理装置１０、名刺情報入力装置１１、入出力装置１２は、例えば、ＬＡＮやインターネット等のネットワークにより通信可能に接続されている。ここでは、名刺情報入力装置１１および入出力装置１２がそれぞれ１つずつ出ある場合を例に挙げて説明するが、名刺情報入力装置１１の数や、入出力装置１２の数等は問わない。
【００２９】
図２は、本実施の形態における名刺情報管理システムのブロック図である。
【００３０】
名刺情報管理装置１０は、受取人名刺交換情報格納部１０１、用語受付部１０２、受取人識別子取得部１０３、受取人識別子選択部１０４、出力部１０５、グループ属性情報取得部１０６、受取人名刺情報受付部１０７、受取人名刺交換情報蓄積部１０８、受取人情報格納部１０９を備えている。
【００３１】
名刺情報入力装置１１は、名刺入力受付部１１１、名刺情報送信部１１２を備えている。
【００３２】
入出力装置１２は、用語入力受付部１２１、用語送信部１２２、情報受信部１２３、情報出力部１２４を備えている。
【００３３】
受取人名刺交換情報格納部１０１は、１以上の受取人名刺交換情報を格納している。受取人名刺交換情報は、受取人識別子と、１以上の名刺記載情報とを有する情報である。受取人識別子は、名刺を受け取った人である受取人を識別する情報である。受取人識別子とは、受取人のＩＤでも良いし、受取人の氏名でも良いし、受取人の氏名と組織名の組の情報でも良いし、受取人の氏名と組織名と部署名の組の情報等でも良い。組織名とは、法人名や、会社名、財団名などである。あるいは、受取人識別子は、受取人と直接、連絡が可能な、連絡先を指定する情報、例えば、受取人のダイレクトインの電話番号や、ＦＡＸ番号、携帯電話番号や、電子メールアドレス、ＩＰアドレス等であっても良い。名刺記載情報は、受取人識別子で識別される受取人が受け取った名刺に記載された情報である。以下、名刺に記載された氏名の人を記載者という、とする。そして、名刺記載情報は、通常、記載者の氏名と記載者の組織名と記載者の通知先情報とを有する情報である。また、受取人名刺交換情報は、受取人が受け取った名刺の名刺記載情報を、１以上有する。
【００３４】
また、受取人名刺交換情報が、さらに、この受取人名刺交換情報が有する受取人識別子が識別する受取人と、この受取人名刺交換情報が有する名刺記載情報が示す人または組織との関連度を示す情報である関連情報を有するようにしてもよい。関連度とは、受取人識別子が示す受取人と、名刺記載情報が示す人または組織との間における、つながりの太さや、親密さや、過去に連絡を取った回数が多いか否か等を表す度合いである。この関連情報は、例えば関連度の高さを、数値や、Ａ，Ｂ，Ｃ等のランクを表す記号や文字列等で表した情報である。例えば、関連情報が数値の場合、この数値は、関連度が高いほど値が高くなるよう設定されていても良いし、関連度が高いほど値が低くなるよう設定されていても良い。関連情報がどのように蓄積されるかは問わない。例えば、受取人が名刺記載情報の記載者との連絡を取る毎に、関連度が高くなるように関連情報を更新するようにしても良いし、受取人が、名刺記載情報に対して、手動で関連情報を蓄積しても良い。
【００３５】
また、受取人名刺交換情報は、さらに、受取人名刺交換情報に対応する名刺を受け取った時期である受取時期を示す情報である受取時期情報を有していてもよい。時期とは、年月日や時間を含む概念である。受取時期情報がどのように蓄積されるかは問わない。例えば、受取人名刺交換情報が蓄積された日時を、名刺を受け取った日時とみなして、受取人名刺交換情報が蓄積される際の日時の情報を、時計等から取得し、この取得した日時の情報を、受取時期情報として蓄積しても良い。また、入力デバイス等から受取人名刺交換情報とともに送信される受取時期を示す情報を受取時期情報として蓄積しても良い。また、受取人やその代行者等が、名刺記載情報に対して、手動で名刺を受け取った時期を示す受取時期情報を蓄積するようにしても良い。
【００３６】
受取人名刺交換情報格納部１０１は、不揮発性の記録媒体が好適であるが、揮発性の記録媒体でも実現可能である。受取人名刺交換情報格納部１０１に受取人名刺交換情報が記憶される過程は問わない。例えば、記録媒体を介して受取人名刺交換情報が受取人名刺交換情報格納部１０１で記憶されるようになってもよく、通信回線等を介して送信された受取人名刺交換情報が受取人名刺交換情報格納部１０１で記憶されるようになってもよく、あるいは、入力デバイスを介して入力された受取人名刺交換情報が受取人名刺交換情報格納部１０１で記憶されるようになってもよい。ここでは、一例として、後述する受取人名刺交換情報蓄積部１０８が、受取人名刺交換情報を受取人名刺交換情報格納部１０１に蓄積する場合について説明する。
【００３７】
用語受付部１０２は、用語を受け付ける。用語受付部１０２は、通常、文字列により構成される情報である用語を受け付ける。用語とは、例えば、特定の部門や人に特に使われる言葉や文字列や単語であり、具体的には、専門用語、技術用語、物品名、物質名、または商品名の少なくとも１以上である。ここで述べる受付とは、例えば、入力手段からの受付や、他の機器等から送信される入力信号の受信や、記録媒体等からの情報の読み出し等である。用語の入力手段は、テンキーやキーボードやマウスやメニュー画面によるもの等、何でも良い。用語受付部１０２は、テンキーやキーボード等の入力手段のデバイスドライバーや、メニュー画面の制御ソフトウェア等で実現され得る。
【００３８】
受取人識別子取得部１０３は、用語受付部１０２が受け付けた用語に対応する名刺記載情報を含む受取人名刺交換情報が有する１以上の受取人識別子を、受取人名刺交換情報格納部１０１から取得する。「受け付けた用語に対応する名刺記載情報」とは、例えば、受け付けた用語に一致する用語を含む名刺記載情報や、受け付けた用語に類似する用語を含む名刺記載情報である。例えば、受取人識別子取得部１０３は、用語受付部１０２が受け付けた用語に一致する用語を含む名刺記載情報を有する受取人名刺交換情報が有する受取人識別子を取得する。ここでの一致とは、完全一致でも部分一致でも良い。また、用語と、当該用語に類似する用語、あるいは関連する用語とを対応付けた情報を予め図示しない記憶媒体等に蓄積しておき、受取人識別子取得部１０３は、この対応付けた情報から、用語受付部１０２が受け付けた用語に対応する１以上の類似する用語または関連する用語を取得し、当該取得した１以上の用語に一致する用語を含む名刺記載情報を有する受取人名刺交換情報が有する受取人識別子を取得してもよく、このような場合においてもここでは「受け付けた用語に一致する」と考える。
【００３９】
また、受取人識別子取得部１０３は、受取人名刺交換情報が上述したような関連情報を有する場合、用語受付部１０２が受け付けた用語に対応する名刺記載情報を含む受取人名刺交換情報であって、関連情報が示す関連度が他よりも高い受取人名刺交換情報が有する受取人識別子を取得する。関連情報が示す関連度が他よりも高い、とは、関連情報が示す関連度が、結果として、他の受取人名刺交換情報のうちの少なくとも一つの関連情報が示す関連度よりも高ければよいことを意味する。例えば、受取人識別子取得部１０３は、用語受付部１０２が受け付けた用語に対応する名刺記載情報を含む受取人名刺交換情報であって、最も高い関連度を示す関連情報、あるいは関連度が上位からＰ番目（Ｐは、１以上の整数）までの関連情報を有する受取人名刺交換情報が有する受取人識別子を取得する。例えば、受取人識別子取得部１０３は、関連情報について閾値を設定して、受取人識別子に対応する関連情報が、当該閾値を超えるか否かによって関連度が他よりも高いか否かを判断しても良い。これにより、閾値を超えるものと超えないものとを、関連度の高いもの、関連度が高くない他のものに、分けることができる。
【００４０】
また、受取人識別子取得部１０３は、受取人名刺交換情報が上述したような受取時期情報を有する場合、用語受付部１０２が受け付けた用語に対応する名刺記載情報を有する受取人名刺交換情報であって、他よりも現在に近い受取時期を示す受取時期情報を含む受取人名刺交換情報が有する受取人識別子を取得してもよい。他よりも現在に近い受取時期、とは、結果として、他の受取人名刺交換情報のうちの少なくとも一つの受取時期情報が示す受取時期よりも現在に近い受取時期を意味する。具体的には、受取人識別子取得部１０３は、用語受付部１０２が受け付けた用語に対応する名刺記載情報を有する受取人名刺交換情報であって、最も現在に近い受取時期を示す受取時期情報、あるいは受取時期が最も現在に近いものからＰ番目（Ｐは、１以上の整数）までの受取時期を示す受取時期情報を含む受取人名刺交換情報が有する受取人識別子を取得してもよい。また、受取時期が現在に近いか否かを比較する代わりに、受取人識別子取得部１０３は、受取時期の閾値を、手動あるいは自動により設定し、当該閾値よりも現在に近い受取時期を示す受取時期情報を含む受取人名刺交換情報が有する受取人識別子を取得しても良い。また、受取時期が現在に近いか否かを比較する代わりに、受取人識別子取得部１０３は、受取人名刺交換情報について、受取時期情報が示す時期と現在の時期とから、名刺の受取時期から現在までの経過期間を取得し、経過期間が短いか否かを判断しても良い。また、受取人識別子取得部１０３は、受取人名刺交換情報について、受取時期情報が示す時期と現在の時期とから、名刺の受取時期から現在までの経過期間を取得し、用語受付部１０２が受け付けた用語に対応する名刺記載情報を有する受取人名刺交換情報であって、取得した経過期間が予め指定した期間以内、言い換えれば閾値以内である受取人名刺交換情報が有する受取人識別子を取得するようにしてもよい。このようにすることで、結果的に、経過期間が、予め指定した期間外である受取人名刺交換情報よりも短い受取人名刺交換情報が有する受取人識別子、言い換えれば、上述したように、他よりも現在に近い受取時期を示す受取時期情報を含む受取人名刺交換情報が有する受取人識別子を取得することができる。
【００４１】
また、受取人識別子取得部１０３は、後述する受取人情報格納部１０９に、グループを示す情報であるグループ属性情報と、受取人に対応する受取人識別子とを対応付ける情報である受取人情報が格納されている場合、以下のように、受取人識別子を取得してもよい。即ち、用語受付部１０２が受け付けた用語に対応する名刺記載情報を含む受取人名刺交換情報に含まれる受取人識別子であって、受取人情報格納部１０９に格納されている受取人情報から取得した当該受取人識別子に対応するグループ属性情報が、後述するグループ属性情報取得部１０６が取得したグループ属性情報と一致する受取人識別子を、受取人名刺交換情報格納部１０１から取得してもよい。つまり、受取人識別子取得部１０３は、用語受付部１０２が受け付けた用語に対応する名刺記載情報を含む受取人名刺交換情報に含まれるとともに、対応するグループ属性情報がグループ属性情報取得部１０６が取得したグループ属性情報と一致する受取人識別子を取得する。ここで述べる一致とは、完全一致であっても部分一致であっても良い。受取人識別子取得部１０３は、通常、ＭＰＵやメモリ等から実現され得る。受取人識別子取得部１０３の処理手順は、通常、ソフトウェアで実現され、当該ソフトウェアはＲＯＭ等の記録媒体に記録されている。但し、ハードウェア（専用回路）で実現しても良い。
【００４２】
受取人識別子選択部１０４は、受取人識別子取得部１０３が取得した受取人識別子であって、当該取得した受取人識別子の数が、他よりも多い受取人識別子を選択する。具体的には、受取人識別子選択部１０４は、受取人識別子取得部１０３が取得した受取人識別子について、同じ受取人識別子の数をカウントし、カウントした数が、結果として、他の受取人識別子よりも多い受取人識別子を選択する。ここでの選択とは、選択するための条件、ここでは、他よりも数が多いという条件に合う受取人識別子を取得することと考えても良いし、条件に合う受取人識別子が出力対象の受取人識別子であることを指定すること、例えばフラグを立てること等であっても良い。他より多い受取人識別子、とは、結果として、他の受取人識別子のうちの少なくとも一つの受取人識別子についてのカウント数よりも多い受取人識別子を意味する。従って、全ての受取人識別子よりもカウント数が多い受取人識別子でなくても良い。受取人識別子取得部１０３は、具体的には、受取人識別子取得部１０３が取得した受取人識別子であって、最も取得数が多い、あるいは最も取得数が多いものからＰ番目（Ｐは、１以上の整数）までの受取人識別子を選択する。あるいは、カウントした数が、予め設定した閾値以上の受取人識別子を選択するようにしても良い。
【００４３】
また、受取人識別子選択部１０４は、受取人名刺交換情報が上述した関連情報を有する場合、以下のように、受取人識別子を選択しても良い。即ち、受取人識別子取得部１０３が取得した受取人識別子について、各受取人識別子を含む受取人名刺交換情報が有する関連情報から、当該関連情報が示す関連度の高さが高くなると重み付けが大きくなる値である重み付け値を取得する。そして、受取人識別子取得部１０３が取得した受取人識別子に対して、同じ受取人識別子についての重み付け値の合計を算出し、その合計が、他よりも重み付けが大きいことを示す受取人識別子を選択するようにしてもよい。なお、重み付け値が関連度の高さが高くなるほど値が大きくなる数値である場合、受取人識別子取得部１０３は、同じ受取人識別子についての重み付け値の合計が、結果として、他のものよりも大きい受取人識別子を、重み付けが大きい受取人識別子と判断すればよい。受取人識別子選択部１０４が、どのように、関連情報が示す関連度の高さに応じた重み付け値を取得してもよい。例えば、関連情報自体が、関連度の高さが高くなると重み付けた大きくなる値、具体的には数値が大きくなる値である場合には、この関連情報をそのまま重み付け値として取得しても良い。また、関連情報の値と、重み付け値の値とを対応付けた管理表を用意し、当該管理表から、関連情報に対応した重み付け値を取得するようにしても良い。例えば、予め、図示しない記憶媒体等に、関連情報「Ａ」、「Ｂ」、「Ｃ」と、重み付け値「５」、「３」、「１」とを、順番に対応付けたレコードを有する管理表を格納しておく。そして、関連情報が「Ｂ」であった場合、この管理表から、関連情報が「Ｂ」であるレコードの重み付け値、即ち「３」を取得する。また、関連情報と重み付け値の関数を予め図示しない記憶媒体等に蓄積しておき、この関数を用いて、関連情報に対応した重み付け値を取得しても良い。
【００４４】
また、受取人識別子選択部１０４は、受取人名刺交換情報が上述した受取時期情報を有する場合、以下のように、受取人識別子を選択しても良い。即ち、受取人識別子選択部１０４は、受取人識別子取得部１０３が取得した受取人識別子について、当該受取人識別子に対応する受取人名刺交換情報が有する受取時期情報を用いて、現在と、受取人名刺交換情報に対応する名刺の受取時期との経過期間を算出する。そして、算出した経過期間に対応する、当該経過期間の長さが長くなると重み付けが小さくなる値である重み付け値を取得し、受取人識別子取得部１０３が取得した受取人識別子に対して、同じ受取人識別子についての重み付け値の合計を算出し、その合計が、結果として、他よりも重み付けが大きいことを示す受取人識別子を選択するようにしてもよい。受取人識別子選択部１０４が、どのように、経過期間に対応した重み付け値を取得しても良く、例えば、上述した関連情報が示す関連度の高さに応じた重み付け値を取得する場合と同様の方法により、経過期間に対応した重み付け値を取得しても良い。なお、上記で述べた重み付け値の合計とは、実質的に合計が多いか否かを示すことが可能な数であればよく、例えば平均値でも実質的に同じであると考える。
【００４５】
受取人識別子選択部１０４は、通常、ＭＰＵやメモリ等から実現され得る。受取人識別子選択部１０４の処理手順は、通常、ソフトウェアで実現され、当該ソフトウェアはＲＯＭ等の記録媒体に記録されている。但し、ハードウェア（専用回路）で実現しても良い。なお、受取人識別子取得部１０３が取得した受取人識別子を、後述する出力部１０５から全て出力する場合、受取人識別子選択部１０４は省略しても良い。
【００４６】
出力部１０５は、受取人識別子取得部１０３が取得した受取人識別子を出力する。ここでは、特に、出力部１０５は、受取人識別子取得部１０３が取得した受取人識別子のうちの、受取人識別子選択部１０４が選択した受取人識別子を出力してもよい。ただし、受取人識別子選択部１０４を省略する場合等において、受取人識別子取得部１０３が取得した受取人識別子を、出力部１０５から全て出力するようにしてもよい。ただし、この場合、重複する受取人識別子については、出力部１０５が一つにまとめるようにすることが好ましい。出力部１０５は、受取人識別子をそのまま出力してもよいし、受取人識別子を出力する代わりに当該受取人識別子に対応する情報、例えば受取人の氏名や、連絡先等を取得して出力してもよい。このような場合においても、実質的には受取人識別子を出力していることと同じこととなる、即ち、同一の受取人を示す情報を出力していることとなるため、ここでは、受取人識別子を出力していることと考える。ここで述べる出力とは、ディスプレイへの表示、プロジェクターを用いた投影、プリンタへの印字、音出力、外部の装置への送信、記録媒体への蓄積、他の処理装置や他のプログラム等への処理結果の引渡し等を含む概念である。出力部１０５は、ディスプレイやプリンタ等の出力デバイスを含むと考えても含まないと考えても良い。出力部１０５は、出力デバイスのドライバーソフトまたは、出力デバイスのドライバーソフトと出力デバイス等で実現され得る。また、重複する受取人識別子をまとめるための処理を行うためのＭＰＵやメモリ等を備えていても良い。なお、ここでは、特に、出力部１０５が通信手段を備えており、受取人識別子取得部１０３が取得した受取人識別子を、入出力装置１２に対して送信する場合を例に挙げて説明する。
【００４７】
グループ属性情報取得部１０６は、用語を入力するユーザのグループ属性情報を取得する。グループ属性情報は、後述する受取人情報格納部１０９に格納されているグループ属性情報と同様のものであり、詳細については後述する。グループ属性情報取得部１０６が、どのように用語を入力するユーザのグループ属性情報を受け付けるかは問わない。例えば、ユーザがキーボード等の入力デバイスを介して直接入力したグループ属性情報を受け付けても良い。また、予め、図示しない記憶媒体等にユーザＩＤと、当該ユーザＩＤに対応するグループ属性情報とを対応付けて管理する管理表を格納しておき、用語を入力するユーザが名刺情報管理装置１０にログイン等を行う際に使用したユーザＩＤ等をグループ属性情報取得部１０６が取得し、当該取得したユーザＩＤに対応するグループ属性情報を、上述した管理表から、検索等により取得しても良い。このログインは、例えば名刺情報管理装置１０の図示しない入力部に対して、ユーザＩＤとパスワード等を入力することで行われ、入力されたユーザＩＤはログアウトされるまで、図示しないバッファ等の記憶媒体等に蓄積されるものとする。ここで述べる取得とは、例えば、入力手段からの受付や、他の処理部や機器等から送信される入力信号の受信や、記録媒体等からの情報の読み出し等も含む概念である。また、ユーザ属性情報の入力手段は、テンキーやキーボードやマウスやメニュー画面によるもの等、何でも良い。グループ属性情報取得部１０６は、通常、ＭＰＵやメモリ等から実現され得る。受取人識別子選択部１０４の処理手順は、通常、ソフトウェアで実現され、当該ソフトウェアはＲＯＭ等の記録媒体に記録されている。但し、ハードウェア（専用回路）で実現しても良い。また、グループ属性情報取得部１０６がグループ属性情報を受け付ける場合、グループ属性情報取得部１０６は、テンキーやキーボード等の入力手段のデバイスドライバーや、メニュー画面の制御ソフトウェア等で実現されてもよい。なお、グループ属性情報を利用しない場合、グループ属性情報取得部１０６は省略しても良い。
【００４８】
受取人名刺情報受付部１０７は、名刺情報と受取人識別子との対を受け付ける。受取人名刺情報受付部１０７は、例えば、名刺情報入力装置１１からネットワーク等を経由して送信される名刺情報と受取人識別子との対を受け付ける。なお、受取人名刺情報受付部１０７は、受取人名刺交換情報を受け付けてもよい。また、受取人名刺情報受付部１０７は、名刺情報と受取人識別子との情報の対に加えて、１の受取人名刺交換情報を構成するための、関連情報や受付時期情報やグループ属性情報等を加えた情報等を受け付けても良い。ここで、「受け付け」とは、手入力された情報の受け付け、記憶媒体からの読み出し、情報の受信などの概念を含む。例えば、受取人名刺情報受付部１０７は、名刺をスキャナで読み込んで得られた画像情報を文字認識処理して得られた名刺記載情報と、手入力された受取人識別子、あるいは、当該名刺情報管理装置１０にログインする際に入力されたユーザＩＤである受取人識別子、もしくはこのユーザＩＤを検索キーとして取得される受取人識別子とを受け付けても良い。例えば、受取人名刺情報受付部１０７は、受取人識別子の代わりに、受取人のユーザＩＤ等を受け付け、当該ユーザＩＤに対応した受取人識別子を取得しても良い。このユーザＩＤと受取人識別子との対応関係を示す管理表等は、例えば、図示しない記憶媒体等に予め蓄積しておくようにすればよい。受取人名刺交換情報の入力手段は、キーボードやマウスやメニュー画面によるもの等、何でも良い。受取人名刺情報受付部１０７は、通信手段や、キーボード等の入力手段のデバイスドライバーや、メニュー画面の制御ソフトウェア等で実現され得る。
【００４９】
受取人名刺交換情報蓄積部１０８は、受取人名刺情報受付部１０７が受け付けた情報から、受取人名刺交換情報を取得し、受取人名刺交換情報格納部１０１に蓄積する。例えば、受取人名刺交換情報蓄積部１０８は、受取人名刺情報受付部１０７が受け付けた名刺情報から名刺記載情報を取得し、取得した名刺記載情報と、名刺記載情報とともに受け付けた受取人識別子とから受取人名刺交換情報を構成する。例えば、受取人名刺交換情報蓄積部１０８は、受取人名刺情報受付部１０７が受け付けた名刺情報が、名刺に記載されている情報を示す文字列の情報である場合、当該文字列の情報を、名刺記載情報として取得する。また、名刺情報入力装置１１から送信された名刺情報が、名刺に記載されている情報の画像情報である場合、当該画像情報を、文字認識処理して名刺記載情報を得るようにしても良い。また、受取人名刺情報受付部１０７が受け付けた関連情報や受付時期情報やグループ属性情報を加えた受取人名刺交換情報を構成し、蓄積しても良い。受取人名刺交換情報蓄積部１０８は、通常、ＭＰＵやメモリ等から実現され得る。受取人名刺交換情報蓄積部１０８の処理手順は、通常、ソフトウェアで実現され、当該ソフトウェアはＲＯＭ等の記録媒体に記録されている。但し、ハードウェア（専用回路）で実現しても良い。
【００５０】
受取人情報格納部１０９は、グループを示す情報であるグループ属性情報と、前記受取人に対応する受取人識別子とを対応付ける情報である受取人情報が格納され得る。ここで述べるグループとは、受取人が属するグループである。受取人が属するグループとは、受取人の属する組織や、法人や、会社、財団、学校等である。グループ属性情報は、受取人が属するグループを識別する情報であれば良い。グループ属性情報は、例えば、受取人の属する組織名や、法人名や、会社名、財団名、学校名等である。また、これらを表すコード番号等であっても良い。受取人情報は、例えば、対応するグループ属性情報と、受取人情報とを対に有する情報である。受取人情報は、これらの情報以外の情報、例えば、受取人識別子に対応した受取人に関する、氏名や、連絡先等の情報を有していても良い。不揮発性の記録媒体が好適であるが、揮発性の記録媒体でも実現可能である。受取人名刺交換情報格納部１０１に受取人名刺交換情報が記憶される過程は問わない。
【００５１】
名刺入力受付部１１１は、名刺情報を受け付ける。また、当該名刺情報に対応する名刺、即ち名刺情報の取得元となる名刺を受け取った人である受取人を識別する情報である受取人識別子も受け付ける。さらに、これらに上述した関連情報や受付時期情報やグループ属性情報等を加えた情報等を受け付けてもよい。名刺情報は、名刺から得ることのできる情報であり、例えば、名刺に記載された文字列や画像等の情報である。名刺情報は、名刺をスキャナで読み込んだ画像情報などでも良い。また、名刺情報は、名刺をスキャナで読み込んだ画像情報を文字認識処理した結果として得られた情報、例えば文字列でも良い。また、名刺情報は、前記画像情報と前記文字列の両方の情報でも良い。ここで、「受け付け」とは、手入力された情報の受け付け、記憶媒体からの読み出し、情報の受信などの概念を含む。名刺入力受付部１１１は、スキャナによる名刺の読み込みにより、名刺情報を受け付けても良い。また、名刺入力受付部１１１は、名刺情報管理装置１０に対するログイン時のＩＤである受取人識別子を受け付けても良いし、あるいはこのログイン時のＩＤを、変換テーブル等を用いて変換して得られる受取人識別子を受け付けても良い。名刺情報および受取人識別子の入力手段は、キーボードやマウスやメニュー画面によるもの等、何でも良い。名刺入力受付部１１１は、キーボード等の入力手段のデバイスドライバーや、メニュー画面の制御ソフトウェア等で実現され得る。また、文字認識処理を行うＭＰＵやメモリ等を備えていても良い。
【００５２】
名刺情報送信部１１２は、名刺入力受付部１１１が受け付けた名刺情報と受取人識別子とを対にして名刺情報管理装置１０に送信する。また、名刺入力受付部１１１が受け付けた、これらと対になる上述した関連情報や受付時期情報やグループ属性情報等も、名刺情報管理装置１０に送信しても良い。名刺情報送信部１１２は、通常、名刺情報管理装置１０に情報を送信するための情報である名刺情報管理装置識別子を保持している。名刺情報管理装置識別子は、名刺情報管理装置１０を情報の送信先として指定可能な情報である。名刺情報管理装置識別子は、例えば、名刺情報管理装置１０のＩＰアドレスやＭＡＣアドレス、名刺情報管理装置１０に情報を送信するためのメールアドレスや電話番号などである。名刺情報送信部１１２は、通常、無線または有線の通信手段で実現されるが、放送手段で実現されても良い。
【００５３】
用語入力受付部１２１は、上述した用語の入力を受け付ける。具体的には、ユーザにより入力される用語を受け付ける。用語入力受付部１２１は、ユーザからの入力を、直接受けつけても良いし、他の装置等を介して間接的に受け付けても良い。ここで、「受け付け」とは、手入力された情報の受け付け、記憶媒体からの読み出し、情報の受信などの概念を含む。また、用語入力受付部１２１は、名刺情報管理装置１０にログインするためのユーザＩＤあるいはユーザの属するグループ属性情報を受け付けても良い。用語の入力手段は、キーボードやマウスやメニュー画面によるもの等、何でも良い。名刺入力受付部１１１は、キーボード等の入力手段のデバイスドライバーや、メニュー画面の制御ソフトウェア等で実現され得る。
【００５４】
用語送信部１２２は、用語入力受付部１２１が受け付けた用語を名刺情報管理装置１０に送信する。用語送信部１２２は、通常、名刺情報送信部１１２と同様に、名刺情報管理装置１０に情報を送信するための情報である名刺情報管理装置識別子を保持している。また、用語送信部１２２は、名刺情報管理装置１０にログインするためのユーザＩＤあるいはユーザの属するグループ属性情報を、名刺情報管理装置１０に送信しても良い。用語送信部１２２は、通常、無線または有線の通信手段で実現されるが、放送手段で実現されても良い。
【００５５】
情報受信部１２３は、名刺情報管理装置１０から送信される受取人識別子を受信する。なお、名刺情報管理装置１０が、受取人識別子を、当該受取人識別子に関連した情報、例えば、当該受取人識別子に対応する人名等に変換して送信する場合、当該送信された受取人識別子に関連した情報を受信しても良い。このように、受取人識別子に関連する情報を受信することも、単に受取人識別子を変換したものを受信していることであって、実質的には、受取人識別子を受信することと同じことであるので、ここでは、受取人識別子を受信することと考えても良い。情報受信部１２３は、通常、無線または有線の通信手段で実現される。
【００５６】
情報出力部１２４は、情報受信部１２３が受信した受取人識別子、あるいは受取人識別子に関連した情報を出力する。ここで述べる出力とは、ディスプレイへの表示、プロジェクターを用いた投影、プリンタへの印字、音出力、外部の装置への送信、記録媒体への蓄積、他の処理装置や他のプログラム等への処理結果の引渡し等を含む概念である。情報出力部１２４は、ディスプレイやプリンタ等の出力デバイスを含むと考えても含まないと考えても良い。出力部は、出力デバイスのドライバーソフトまたは、出力デバイスのドライバーソフトと出力デバイス等で実現され得る。
【００５７】
次に、名刺情報管理装置１０の動作について図３のフローチャートを用いて説明する。なお、ここでは、名刺情報管理装置１０の図示しない入力部等に、ユーザＩＤを入力することで、ユーザが名刺情報管理装置１０にログインしている場合を例に挙げて説明する。また、ログインされたユーザＩＤは、名刺情報管理装置１０の図示しない記憶媒体等に一時記憶されているものとする。
【００５８】
（ステップＳ３０１）グループ属性情報取得部１０６は、用語を入力可能なユーザ、即ちここでは、現在ログイン中のユーザのユーザＩＤを読み出し、このユーザＩＤを用いて、ユーザの属するグループについてのグループ属性情報を取得する。例えば、グループ属性情報取得部１０６は、予めユーザＩＤとグループ属性情報とを対応付けた情報を用意しておき、この情報から、ログイン時のユーザＩＤに対応するグループ属性情報を取得する。
【００５９】
（ステップＳ３０２）受取人識別子取得部１０３は、受取人名刺交換情報格納部１０１に、一以上の受取人名刺交換情報が格納されているか否かを判断する。格納されている場合、ステップＳ３０３に進み、格納されていない場合、ステップＳ３１０に進む。
【００６０】
（ステップＳ３０３）受取人識別子取得部１０３は、用語受付部１０２が用語を受け付けたか否かを判断する。例えば、用語受付部１０２は、入出力装置１２から、ネットワーク等を経由して用語を受け付ける。受け付けた場合、ステップＳ３０４に進み、受け付けていない場合、ステップＳ３１０に進む。
【００６１】
（ステップＳ３０４）受取人識別子取得部１０３は、受取人名刺交換情報格納部１０１に格納されている受取人名刺交換情報のそれぞれについて、ステップＳ３０３において受け付けた用語に一致する名刺記載情報を有するか否かを判断する。そして、一致する名刺記載情報を含む受取人名刺交換情報が有する受取人識別子を取得する。なお、ここでは、例として、受取人名刺交換情報のうちの、当該受取人名刺交換情報内に含まれる受取人識別子に対応するグループ属性情報が、ステップＳ３０１において取得した、用語を入力したユーザのグループ属性情報と一致する受取人名刺交換情報のみについて、ステップＳ３０３において受け付けた用語に一致する名刺記載情報を有するか否かを判断する。受取人名刺交換情報内に含まれる受取人識別子に対応するグループ属性情報は、例えば、各受取人名刺交換情報内に含まれる受取人識別子を検索キーとして受取人情報格納部１０９に格納されている受取人情報を検索して、検索キーと一致する受取人識別子と対応付けられたグループ属性情報を取得することで得られる。なお、用語に一致する名刺記載情報を有する受取人名刺交換情報を検出した後、この受取人名刺交換情報内に含まれる受取人識別子に対応するグループ属性情報が、ステップＳ３０１において取得したグループ属性情報と一致するか否かを判断しても良い。
【００６２】
（ステップＳ３０５）受取人識別子取得部１０３は、一以上の受取人識別子を取得できたか否かを判断する。取得できた場合、ステップＳ３０６に進み、取得できていない場合、ステップＳ３０９に進む。
【００６３】
（ステップＳ３０６）受取人識別子選択部１０４は、ステップＳ３０４において取得した受取人識別子から、受取人識別子を選択する。例えば、受取人識別子選択部１０４は、受取人識別子別に、受取人識別子の数をカウントし、受取人識別子を数の最も多いものから順に予め設定された所定数選択する。この処理が、受取人識別子取得部１０３が取得した受取人識別子であって、当該取得された数が、他よりも多い受取人識別子を選択する処理に相当する。また、受取人識別子選択部１０４は、受取人名刺交換情報が関連情報を有する場合において、ステップＳ３０４において取得した受取人識別子にそれぞれ対応する受取人名刺交換情報が有する関連情報を取得し、当該関連情報を用いて、予め用意されている関連情報の値と、重み付け値とを対にした１以上のレコードを有する変換テーブル等を用いて検索等により重み付け値を取得し、当該取得した重み付け値を受取人識別子別に集計し、受取人識別子を、その重み付け値の合計が最も多いものから順に所定数選択するようにしてもよい。また、受取人識別子選択部１０４は、受取人名刺交換情報が受取時期情報を有する場合において、ステップＳ３０４において取得した受取人識別子にそれぞれ対応する受取人名刺交換情報が有する受取時期情報を取得し、当該受取時期情報を用いて現在の時間に対する経過期間を算出し、この経過期間から、予め用意されている変換テーブル等を用いて、経過期間が長くなるほど重み付けが小さくなるような重み付け値を取得し、当該取得した重み付け値を受取人識別子別に集計し、受取人識別子を、その重み付け値の合計が最も多いものから順に所定数選択するようにしてもよい。なお、上記において、重み付け値の合計が、閾値よりも大きいか否かによって、受取人識別子を選択するようにしても良い。
【００６４】
（ステップＳ３０７）受取人識別子選択部１０４は、一以上の受取人識別子を選択できたか否かを判断する。選択できた場合、ステップＳ３０８に進み、選択できなかった場合、ステップＳ３０９に進む。
【００６５】
（ステップＳ３０８）出力部１０５は、ステップＳ３０７において選択された受取人識別子を出力する。例えば、入出力装置１２等に送信する。そして、ステップＳ３０２に戻る。
【００６６】
（ステップＳ３０９）出力部１０５は、用語に対応した受取人識別子がないことを示す情報を出力する。そして、ステップＳ３０２に戻る。
【００６７】
（ステップＳ３１０）受取人名刺情報受付部１０７は、名刺情報と受取人識別子を受け付けたか否かを判断する。ここでは、例として、受取人識別子に対応した受取人のグループ属性情報を受け付けたか否かも判断する。なお、受取人名刺情報受付部１０７は、判断受取人名刺交換情報を受け付けたか否かを判断しても良い。受け付けた場合、ステップＳ３１１に進み、受け付けていない場合、ステップＳ３０２に戻る。
【００６８】
（ステップＳ３１１）受取人名刺交換情報蓄積部１０８は、ステップＳ３１０で受け付けた名刺情報と受取人識別子、さらにここでは、グループ属性情報とを用いて受取人名刺交換情報を構成し、受取人名刺交換情報格納部１０１に蓄積する。なお、ステップＳ３１０で受取人名刺交換情報を受け付ける場合、受け付けた受取人名刺交換情報を蓄積するようにしてもよい。そして、ステップＳ３０２に戻る。
【００６９】
なお、図３のフローチャートにおいて、ステップＳ３０４において、用語に加えて、さらに関連情報や受取時期情報等を取得条件として用いて、受取人識別子を選択的に取得するようにしても良い。
【００７０】
なお、図３のフローチャートにおいて、電源オフや処理終了の割り込みにより処理は終了する。
【００７１】
次に、名刺情報入力装置１１の動作について簡単に説明する。名刺入力受付部１１１が名刺情報と、当該名刺情報に対応する名刺を受け取ったユーザの受取人識別子とを受け付けると、当該名刺情報とユーザの受取人識別子とを対にして名刺情報管理装置１０に送信する。なお、名刺情報を入力する前に、名刺情報を入力するユーザ、即ち受取人のユーザＩＤ等で、名刺情報入力装置１１にログインするようにし、名刺情報入力装置１１からは、当該ユーザＩＤ、もしくはこれに対応する受取人識別子と、名刺情報とを送信するようにしてもよい。また、名刺情報を送信する前に、名刺情報を入力するユーザ、即ち受取人のユーザＩＤ等で、名刺情報管理装置１０にログインするようにし、名刺情報入力装置１１からは、名刺情報だけを送信するようにし、この名刺情報を受信した名刺情報管理装置１０の受取人名刺情報受付部１０７や、受取人名刺交換情報蓄積部１０８等が、受信した名刺情報と、ログイン時に受け付けた受取人のユーザＩＤに対応する受取人識別子とを用いて、受取人名刺交換情報を構成するようにしても良い。また、名刺入力受付部１１１が受取人名刺交換情報を受け付けて、名刺情報送信部１１２が受取人名刺交換情報を送信するようにしても良い。
【００７２】
次に、入出力装置１２の動作について簡単に説明する。入出力装置１２の図示しない入力部や用語入力受付部１２１に対してログインのためのユーザＩＤを入力すると、当該入力されたユーザＩＤが、図示しない送信部や用語送信部１２２等を介して、名刺情報管理装置１０に送信され、ログインが行われる。次に、用語入力受付部１２１が用語の入力を受け付けると、受け付けた用語が用語送信部１２２から名刺情報管理装置１０に送信される。次に、情報受信部１２３は、名刺情報管理装置１０から送信される受取人識別子を受信し、受信した受取人識別子を、情報出力部１２４が出力する。
【００７３】
以下、本実施の形態における名刺情報管理システムの具体的な動作について説明する。名刺情報管理システムの概念図は図１である。
【００７４】
まず、受取人名刺交換情報を登録する処理について説明する。
【００７５】
名刺を受け取った受取人が、名刺情報入力装置１１にユーザＩＤを入力すると、名刺入力受付部１１１がユーザＩＤを受け付ける。そして、受け付けたユーザＩＤが、名刺情報送信部１１２から、ネットワーク経由で名刺情報管理装置１０に送信される。名刺情報管理装置１０は、図示しない受信部を有しており、この受信部が、名刺情報入力装置１１から送信されるユーザＩＤを受信し、名刺情報管理装置１０に対する受取人の認証処理が行われ、受取人のログインが完了する。ここでは、受取人が入力したユーザＩＤが「ＩＤ５００５２」であったとする。
【００７６】
次に、受取人が名刺を名刺情報入力装置１１の入力デバイスであるスキャナに読み込ませると、名刺入力受付部１１１は、名刺の画像情報である名刺情報を受け付ける。名刺情報送信部１１２は、名刺入力受付部１１１が受け付けた名刺情報を、ネットワーク経由で、名刺情報管理装置１０に送信する。
【００７７】
名刺情報管理装置１０の受取人名刺情報受付部１０７は、名刺情報入力装置１１から送信される名刺情報を受信する。受取人名刺情報受付部１０７は、受け付けた画像情報である名刺情報を用いて文字認識処理や手入力を行って、文字列により構成される１以上の名刺記載情報を取得する。また、ログイン時に送信されたユーザＩＤから、当該ユーザＩＤに対応する受取人識別子を、受信した名刺情報に対応した受取人識別子として取得する。ユーザＩＤと受取人識別子との対応関係は、ユーザＩＤと受取人識別子を対とするレコードを複数備えたユーザＩＤ管理表により管理されており、この管理表は、例えば、図示しない記憶媒体等に蓄積されている。受取人名刺情報受付部１０７は、ログイン時に入力されたユーザＩＤを取得し、当該ユーザＩＤを検索キーとして、ユーザＩＤ管理表から、ユーザＩＤに対応する受取人識別子を取得する。
【００７８】
図４は、ユーザＩＤと受取人識別子との対応関係を管理するためのユーザＩＤ管理表である。受取人識別子管理表は、「ユーザＩＤ」と、「受取人識別子」という属性を有している。「ユーザＩＤ」は、名刺情報入力装置１１のユーザである受取人が名刺情報管理装置１０にログインする際に入力するユーザＩＤである。「受取人識別子」は、「ユーザＩＤ」に対応した受取人の受取人識別子である。
【００７９】
受取人名刺情報受付部１０７は、ログイン時のユーザＩＤである「ＩＤ５００２２」を取得し、図４に示した受取人識別子管理表から、「ユーザＩＤ」が「ＩＤ５００２２」であるレコードを検出し、このレコードの「受取人識別子」である「５６７８」を取得する。
【００８０】
受取人名刺交換情報蓄積部１０８は、受取人名刺情報受付部１０７が受け付けた名刺記載情報と、受取人識別子「５６７８」とを有する受取人名刺情報を構成し、受取人名刺交換情報格納部１０１に蓄積する。
【００８１】
図５は、上記のようにして受取人名刺交換情報格納部１０１に蓄積された受取人名刺交換情報を管理するための、受取人名刺交換情報管理表である。受取人名刺交換情報管理表は、「受取人識別子」、「名刺記載情報」、「関連情報」、「受取時期情報」という属性値を有するレコードを１以上、格納している。「受取人識別子」は、ここでは、ユニークな数値（ＩＤ）であるが、受取人の「氏名」と「会社名」の組の情報等でも良い。「名刺記載情報」は、ここでは、「ＩＤ」、「氏名」、「会社名」、「所属部署」、「ＴＥＬ」、「ＦＡＸ」、「メールアドレス」、「役職」、「ＷＥＢページ」などの属性値を有する。「名刺記載情報」は、その他、会社のＷＥＢページのＵＲＬ、部署名などを有することは好適である。また、「ＩＤ」は、少なくとも、同一の受取人に対応する名刺記載情報を識別する情報である。「ＩＤ」は、全名刺記載情報を識別する情報であることは好適である。「ＩＤ」は、名刺記載情報が蓄積される際に、受取人名刺交換情報蓄積部１０８等が自動的に付与することが好適である。「関連情報」は、ここでは、例として、同じレコードの「受取人識別子」が示す受取人によって「名刺記載情報」が読み出された回数を示す値であり、初期値は、「１」であるとする。読み出された回数が多いほど、その名刺記載情報に対応する名刺を渡した人と、受取人との交流の頻度が高い、即ち関連度が高いと判断可能である。なお、受取人等が、名刺記載情報について手入力した関連情報を、受取人名刺交換情報管理表に蓄積するようにしても良い。「受取時期情報」は、名刺情報に対応する名刺を受取人が受け取った時期を示す情報である。ここでは、受取人名刺交換情報蓄積部１０８が受取人名刺交換情報を受取人名刺交換情報格納部１０１に格納する時期の情報を、受取時期情報とみなして「受取時期情報」の属性値として蓄積する例について説明する。ここでは「受取時期情報」は、名刺を受け取った年月を示している。なお、受取人等が、名刺記載情報について手入力した受取時期情報が、受取人名刺交換情報管理表に蓄積されるようにしても良い。
【００８２】
図６は、受取人情報格納部１０９に格納されている受取人情報を管理する受取人情報管理表を示す図である。受取人情報管理表は、「受取人識別子」、「氏名」、「会社名」、「所属部署」、「ＴＥＬ」、「ＦＡＸ」、「メールアドレス」、「役職」、などの属性値を有するレコードを1以上、格納している。「受取人識別子」は、図５の「受取人識別子」に相当する。「会社名」は受取人識別子に対応する受取人が属している会社の社名である。「会社名」が、ここでは受取人識別子に対応するグループ属性情報であるとする。他の属性値は、受取人識別子に対応する受取人の属性を示す情報である。受取人情報は、ここでは、少なくとも「受取人識別子」と、グループ属性情報である「会社名」との対を有していればよい。ただし、本実施の形態においては、後述するように出力部１０５が最終的に受取人識別子を受取人識別子に対応する情報に変換する際に利用する情報等も、便宜上、受取人情報に含むようにしている。受取人情報は、その他、会社のＵＲＬ、郵便番号、住所などを有することは好適である。受取人情報と上述した受取人名刺交換情報とは同じ構造の情報でも良い。
【００８３】
次に、入力された用語を用いて受取人識別子を取得する処理について説明する。ここでは、例として、用語を入力するユーザＡが、上述したような名刺の入力を行う、名刺の受取人の一人であり、このユーザのユーザＩＤに対応する受取人識別子、およびこのユーザのユーザＩＤに対応するグループ属性情報である「会社名」が、図４に示したユーザＩＤ管理表および図６に示した受取人情報管理表で管理されている場合を例に挙げて説明する。ここでは、ユーザＡのユーザＩＤが「ＩＤ５００２２」であるとする。
【００８４】
ユーザＡが、入出力装置１２にユーザＩＤ「ＩＤ５００２２」を入力すると、例えば用語入力受付部１２１がユーザＩＤを受け付ける。そして、受け付けたユーザＩＤ「ＩＤ５００２２」が、用語送信部１２２から、ネットワーク経由で名刺情報管理装置１０に送信される。名刺情報管理装置１０は、図示しない受信部を有しており、この受信部が、入出力装置１２から送信されるユーザＩＤを受信し、名刺情報管理装置１０に対するユーザの認証処理が行われ、ユーザのログインが完了する。
【００８５】
名刺情報管理装置１０のグループ属性情報取得部１０６は、入出力装置１２から名刺情報管理装置１０にログインの際に送信されたユーザＩＤ「ＩＤ５００２２」を取得し、当該取得したユーザＩＤ「ＩＤ５００２２」に対応するグループ属性情報を取得する。具体的には、用語を入力可能なユーザのユーザＩＤが、ここでは、図４に示したユーザＩＤ管理表で管理されているため、用語の入力を行うユーザＡのユーザＩＤ「ＩＤ５００２２」に対応した受取人識別子を、図４に示したユーザＩＤ管理表から検索により取得する。ここでは、ユーザＩＤが「ＩＤ５００２２」に対応した受取人識別子である「１１２２」を取得する。
【００８６】
次に、グループ属性情報取得部１０６は、この取得した受取人識別子「１１２２」に対応するグループ属性情報を、図６に示した受取人情報管理表から取得する。ここでは、受取人情報のうちの「会社名」をグループ属性情報として使用することが予め指定されているため、グループ属性情報取得部１０６は、受取人識別子「１１２２」を検索キーとして、受取人情報管理表の「受取人識別子」が「１１２２」に一致するレコードの「会社名」の属性値である「ＰＱＺ」を取得する。この「ＰＱＺ」が用語を入力するユーザＡのグループ属性情報である。
【００８７】
次に、ユーザが、入出力装置１２に用語、例えば「電池」という文字列を入力したとすると、用語入力受付部１２１が「電池」という文字列を受け付ける。用語送信部１２２は、用語入力受付部１２１が受け付けた「電池」という用語を、ネットワーク経由で、名刺情報管理装置１０に送信する。
【００８８】
名刺情報管理装置１０の用語受付部１０２は、入出力装置１２からネットワーク経由で送信される用語「電池」を受け付ける。受け付けた用語は図示しない記憶媒体等に一時記憶する。
【００８９】
次に、受取人識別子取得部１０３は、図５に示した受取人名刺交換情報管理表において、用語受付部１０２が受け付けた用語「電池」に対応する名刺記載情報を含んでいるレコードであって、このレコードに含まれる受取人識別子に対応するグループ属性情報が、グループ属性情報取得部１０６が取得したグループ属性情報「ＰＱＺ」と一致するレコードを検索し、検索されたレコードに含まれる受取人識別子を、取得する条件を満たす受取人識別子として取得する。
【００９０】
具体的には、受取人識別子取得部１０３は、図５に示した受取人名刺交換情報管理表において、各レコードについて、順番に、受取人識別子を取得し、この受取人識別子と一致する受取人識別子を有するレコードを、図６に示した受取人情報管理表において検索により検出する。そして、検出したレコードの「会社名」の属性値を取得し、この属性値が、グループ属性情報取得部１０６が取得したグループ属性情報「ＰＱＺ」と一致するか否かを判断する。「会社名」の属性値は、上述したように受取人識別子に対応するグループ属性情報である。そして、一致しない場合、次のレコードについて同様の処理を繰り返し、一致する場合、当該レコードの名刺記載情報内に、受け付けた用語である「電池」と一致する文字列、ここでは例として完全一致する文字列が含まれているか否かを判断していく。そして、一致する文字列が１以上含まれる場合、当該レコードの「受取人識別子」の属性値を取得し、図示しない記憶媒体等に一時記憶する。ここでは、便宜上、同じレコードの「ＩＤ」の属性値も、「受取人識別子」の属性値と対応付けて蓄積するが、「ＩＤ」は省略可能である。また、一致しない場合、次のレコードについて、上述したようなグループ属性情報が「ＰＱＺ」と一致するか否かの判断を繰り返す。なお、ここでは、受取人識別子が重複する場合、受取人識別子を重複して取得してよいものとする。
【００９１】
例えば、受取人識別子取得部１０３は、図５の受取人名刺交換情報管理表において、まず、「ＩＤ」が「５２１」であるレコードの受取人識別子「１２３４」を取得する。そして、受取人識別子取得部１０３は、図６に示した受取人情報管理表において、「受取人識別子」が「１２３４」のレコードを検索し、「受取人識別子」が「１２３４」のレコードのグループ属性情報である「会社名」の属性値「ＰＱＺ」を取得する。そして、取得した「ＰＱＺ」とグループ属性情報取得部１０６が取得したグループ属性情報「ＰＱＺ」とを比較して、一致するか否かを判断する。ここでは、一致すると判断されるため、図５の受取人名刺交換情報管理表における「ＩＤ」が「５２１」であるレコードに含まれる名刺記載情報内に、用語受付部１０２が受け付けた用語である「電池」に一致する文字列が含まれるかいなかを判断する。ここでは、「所属部署」の属性値である「電池営業部」という文字列内に「電子」に一致する文字列が含まれるため、一致する文字列があると判断される。この判断結果に従って、受取人識別子取得部１０３は、受取人名刺交換情報管理表の「ＩＤ」が「５２１」であるレコードの受取人識別子「１２３４」を、条件を満たす受取人識別子として取得する。
【００９２】
一方、受取人識別子取得部１０３は、図５の受取人名刺交換情報管理表の「ＩＤ」が「５２２」であるレコードについては、受取人識別子「１２３４」を取得する。そして、受取人識別子取得部１０３は、図６に示した受取人情報管理表において、「受取人識別子」が「１２３４」のレコードを検索し、「受取人識別子」が「１２３４」のレコードのグループ属性情報である「会社名」の属性値「ＰＱＺ」を取得する。そして、取得した「ＰＱＺ」とグループ属性情報取得部１０６が取得したグループ属性情報「ＰＱＺ」とを比較して、一致するか否かを判断する。ここでは、一致すると判断されるため、図５の受取人名刺交換情報管理表における「ＩＤ」が「５２２」であるレコードに含まれる名刺記載情報内に、用語受付部１０２が受け付けた用語である「電池」に一致する文字列が含まれるかいなかを判断する。ここでは、「電池」に一致する文字列がいずれの属性値にも含まれていないため、受取人識別子取得部１０３は、受取人名刺交換情報管理表の「ＩＤ」が「５２２」であるレコードの受取人識別子については、取得する条件を満たさない受取人識別子と判断し、取得しない。
【００９３】
また、受取人識別子取得部１０３は、図５の受取人名刺交換情報管理表の「ＩＤ」が「５６７１」であるレコードについては、受取人識別子「５６７７」を取得する。そして、受取人識別子取得部１０３は、図６に示した受取人情報管理表において、「受取人識別子」が「５６７７」のレコードを検索し、「受取人識別子」が「５６７７」のレコードのグループ属性情報である「会社名」の属性値「ＸＹＺ」を取得する。そして、取得した「ＸＹＺ」とグループ属性情報取得部１０６が取得したグループ属性情報「ＰＱＺ」とを比較して、一致するか否かを判断する。ここでは、一致しないと判断されるため、受取人識別子取得部１０３は、受取人名刺交換情報管理表の「ＩＤ」が「５６７１」であるレコードの受取人識別子については、取得する条件を満たさない受取人識別子と判断し、取得しない。
【００９４】
図７は、上記のような処理により、受取人識別子取得部１０３が取得した受取人識別子を管理する取得識別子管理表である。「受取人識別子」、および「ＩＤ」は、図５の「受取人識別子」、および「ＩＤ」に相当する。
【００９５】
次に、受取人識別子選択部１０４は、図７に示した受取人識別子取得部１０３が取得した受取人識別子のうちの、取得された数の合計数が最も多いものを選択する。即ち、受取人識別子選択部１０４は、図７に示した受取人識別子を、受取人識別子別に集計し、集計数が最も多い受取人識別子を選択する。ここでは、取得識別子管理表において受取人識別子「１２３４」の出現する数が、４つであり、他の受取人識別子の数よりも多いため、受取人識別子「１２３４」を選択する。
【００９６】
出力部１０５は、受取人識別子選択部１０４が選択した受取人識別子「１２３４」を入出力装置１２に対して出力する。ここでは、例として受取人識別子「１２３４」を検索キーとして、図６に示した受取人情報管理表のうちの、「受取人識別子」が「１２３４」に一致するレコードの「氏名」の属性値である「山田太郎」、及び「ＴＥＬ」の属性値である「（０３）５１１１−１２３４」を取得し、当該取得した情報を、入出力装置１２に対して送信する。即ち、受取人識別子「１２３４」を、対応する受取人の氏名及び電話番号に変換して出力する。
【００９７】
入出力装置１２の情報受信部１２３は、名刺情報管理装置１０から送信される受取人識別子に相当する情報、具体的には「氏名」の属性値である「山田太郎」及び「ＴＥＬ」の属性値である「（０３）５１１１−１２３４」を受信する。そして、受信した情報を、予め用意されたテンプレート等に配置することで成形して、情報出力部１２４が、図８に示すようにモニタに表示する。
【００９８】
なお、上記具体例においては、受取人識別子選択部１０４が、取得された数が最も多いものを選択するようにした場合について説明したが、受取人名刺交換情報のうちの関連情報を用いて、重み付けを行い、受取人識別子を選択するようにしても良い。
【００９９】
この場合、例えば、受取人識別子取得部１０３が、図９に示すように、受取人名刺交換情報の「関連情報」の属性値も取得するようにする。なお、受取人識別子取得部１０３が「関連情報」の属性値を取得する代わりに、受取人識別子選択部１０４が、図７に示したような「受取人識別子」に対応する「ＩＤ」を用いて、受取人名刺交換情報から受取人識別子取得部１０３が取得した「受取人識別子」に対応する「関連情報」を取得するようにしてもよい。
【０１００】
図１０は、関連情報と重み付け値との対応関係を管理する関連情報管理表である。関連情報管理表は、「関連情報」と「重み付け値」という属性値を有している。「関連情報」は、受取人名刺交換情報の関連情報である。「重み付け値」は、重み付けのために用いられる値であり、ここでは、関連度が高いほど値が大きくなるような値を用いている。
【０１０１】
受取人識別子選択部１０４は、図１０に示した関連情報管理表を用いて、図９に示した受取人識別子取得部１０３が取得した各受取人識別子について、それぞれの対応する関連情報の値を用いて、図１０に示した関連情報管理表から、関連情報の値に対応する重み付け値を取得する。
【０１０２】
図１１は、受取人識別子取得部１０３が取得した受取人識別子と、受取人識別子選択部１０４が受取人識別子について取得した重み付け値との対応関係を示す図である。
【０１０３】
次に、受取人識別子選択部１０４は、図１１に示した受取人識別子について、受取人識別子別に、対応する重み付け値の合計を算出する。そして、算出された重み付け値の合計数が最も多いもの受取人識別子を選択する。ここでは、受取人識別子「２２３４」の重み付け値の合計が「７」であり、他の受取人識別子の重み付け値の合計よりも多いため、受取人識別子「２２３４」を選択する。以下の処理は、重み付け値を用いない場合と同様であるので説明は省略する。
【０１０４】
また、ここでは、「名刺記載情報」が読み出された回数を示す値である「関連情報」を関連情報として用いたが、関連情報として、「会社名」や、「役職」等を用いるようにしてもよい。この場合、「会社名」や、「役職」に対して重み付け値を設定すればよい。
【０１０５】
また、上記具体例において、受取人名刺交換情報のうちの受取時期情報を用いて、重み付けを行い、受取人識別子を選択するようにしても良い。
【０１０６】
この場合、例えば、受取人識別子取得部１０３が受取人識別子を取得する際に、図１２に示すように、受取人名刺交換情報の「受付時期情報」の属性値も取得するようにする。なお、受取人識別子取得部１０３が「受付時期情報」の属性値を取得する代わりに、受取人識別子選択部１０４が、図７に示したような「受取人識別子」に対応する「ＩＤ」を用いて、受取人名刺交換情報から受取人識別子取得部１０３が取得した「受取人識別子」に対応する「受付時期情報」を取得するようにしてもよい。
【０１０７】
図１３は、受付時期情報が示し時期から現在までの経過期間と、重み付け値との対応関係を管理する経過期間管理表である。関連情報管理表は、「経過期間」と「重み付け値」という属性値を有している。「経過期間」は、現在の時期と受取人名刺交換情報の受付時期情報が示す時期との差である。「重み付け値」は、重み付けのために用いられる値であり、ここでは、経過期間が短いほど値が大きくなるような値を用いている。
【０１０８】
受取人識別子選択部１０４は、現在の時期の情報を時計やカレンダー等から取得し、図１２に示した受取人識別子取得部１０３が取得した各受取人識別子について、対応する「経過時期」の値との差を算出して、現在までの経過期間の値を取得する。ここでは、例として、現在の時期が、「０８年１月」であるとする。そして、図１３に示した経過期間管理表から、受取人識別子取得部１０３が取得した各受取人識別子についてそれぞれに算出した経過期間の値に対応した重み付け値を取得する。この重み付け値は、言い換えれば、受取人識別子取得部１０３が取得した各受取人識別子に対応する受付時期情報の値に対応して取得された重み付け値である。
【０１０９】
図１４は、受取人識別子取得部１０３が取得した受取人識別子と、受取人識別子選択部１０４が受取人識別子について取得した経過期間と、受取人識別子選択部１０４が受取人識別子について取得した重み付け値との対応関係を示す図である。
【０１１０】
次に、受取人識別子選択部１０４は、図１４に示した受取人識別子について、受取人識別子別に、対応する重み付け値の合計を算出する。そして、算出された重み付け値の合計数が最も多いもの受取人識別子を選択する。ここでは、受取人識別子「２２３４」の重み付け値の合計が「１６」であり、他の受取人識別子の重み付け値の合計よりも多いため、受取人識別子「２２３４」を選択する。以下の処理は、重み付け値を用いない場合と同様であるので説明は省略する。
【０１１１】
なお、ここでは、経過期間に応じた重み付け値を用いて、受取人識別子を選択するようにしたが、現在までの経過期間に対して閾値を設け、現在までの経過期間がこの閾値以下である受取人識別子だけを選択するようにしても良い。あるいは現在の時期から、所定の経過期間だけ前の時期を閾値として算出し、この閾値よりも現在に近い時期を示す受取時期情報に対応している受取人識別子だけを選択するようにしても良い。
【０１１２】
なお、受取人識別子選択部１０４が、上述したどの方法で選択を行うかについては、予め設定しておいても良いし、用語を入力するユーザが、入出力装置１２等を介して指定できるようにしても良い。
【０１１３】
また、ここでは、受取人識別子選択部１０４が、受取人識別子の数により選択を行う場合と、関連情報により選択を行う場合と、受取時期情報を用いて選択を行う場合とについて説明したが、これらを適宜組み合わせて、選択を行うようにしても良い。
【０１１４】
また、上記具体例においては、受取人識別子取得部１０３が、グループ属性情報を利用して受取人識別子を取得するものについて説明したが、グループ属性情報を用いないようにしても良い。
【０１１５】
また、上記具体例においては、受取人識別子選択部１０４により、受取人識別子取得部１０３が取得した受取人識別子を選択するようにしたものについて説明したが、受取人識別子取得部１０３により選択を行わずに、受取人識別子取得部１０３が取得した受取人識別子を出力部１０５から出力するようにしても良い。なお、この場合、重複する受取人識別子は１つにまとめることが好ましい。また、この場合、受取人識別子選択部１０４は省略しても良い。
【０１１６】
以上、本実施の形態によれば、ユーザが指定した用語に一致する記載内容を有している名刺を受け取った人を提示することができ、名刺の情報から、用語について人脈のある人を、容易に知ることができる。
【０１１７】
また、古い名刺等の情報を、重み付けを低くすることで、最新の人脈をもとに、人脈のある人を選択して提示することができる。
【０１１８】
また、名刺の記載者とのコンタクト数が多い名刺の受取人を提示することで、単に名刺交換しただけでなく、実質的な交流のある記載者との人脈を重視して、人脈のある受取人を提示することができる。
【０１１９】
また、用語を指定したユーザと同じグループ属性情報を有する受取人の中から、指定した用語に一致する記載内容を有している名刺を受け取った人を提示することができ、ユーザが実質的にコンタクトしやすい人だけ、例えば同じ会社の人だけを提示することが可能となる。また、人脈を利用できる範囲を制限することができる。
【０１２０】
なお、本実施の形態において、受取人名刺交換情報に、当該受取人名刺交換情報に対応する人や組織等の技術分野や、業務内容等を説明する情報である内容情報をさらに加えるようにし、受取人識別子取得部１０３が、用語と一致する受取人名刺交換情報を検索する際に、この内容情報についても検索を行うようにし、この内容情報の一部が用語と一致する場合に、名刺記載情報の一部が用語と一致しなくても、この内容情報に対応した受取人名刺交換情報の受取人識別子を取得するようにしてもよい。なお、このような内容情報が、受取人名刺交換情報に蓄積される過程については問わない。かかることは他の実施の形態においても同様である。
【０１２１】
また、本実施の形態においては、用語受付部１０２が用語を受け付ける場合について説明したが、用語受付部１０２や、図示しない処理部等が、文（文章）の入力を受け付けるようにし、当該受け付けた文から、自然言語処理等、例えば、ｔｆ・ｉｄｆ等のアルゴリズムを用いた処理等により、文中の特徴的な単語（例えば重要とみなされる単語や、所定の品詞の単語等）である用語を抽出するようにし、当該抽出した用語を、用語受付部１０２が受け付けるようにしてもよい。また、このような文から用語を抽出する処理は、用語受付部１０２が行うようにしてもよいし、受取人識別子取得部１０３等が行うようにしても良い。かかることは他の実施の形態においても同様である。
【０１２２】
（実施の形態２）
本実施の形態の名刺情報管理システムは、上記実施の形態の名刺情報管理システムにおいて、名刺記載情報に含まれるＵＲＬ（Ｕｎｉｆｏｒｍ  Ｒｅｓｏｕｒｃｅ  Ｌｏｃａｔｏｒ）が示すＷＥＢページの情報が、ユーザが指定した用語に対応している場合、当該名刺記載情報を含む受取人名刺交換情報が有する受取人識別子を取得するようにしたものである。
【０１２３】
図１５は、本実施の形態における名刺情報管理システム２のブロック図である。
【０１２４】
名刺情報管理システム２は、名刺情報管理装置２０と、名刺情報入力装置１１と、入出力装置１２とを備えている。名刺情報入力装置１１と、入出力装置１２の構成および動作等については、上記実施の形態１と同様であるので説明を省略する。
【０１２５】
名刺情報管理装置２０は、受取人名刺交換情報格納部１０１、用語受付部１０２、受取人識別子取得部２０３、受取人識別子選択部１０４、出力部１０５、グループ属性情報取得部１０６、受取人名刺情報受付部１０７、受取人名刺交換情報蓄積部１０８を備えている。なお、名刺情報管理装置２０において、受取人識別子取得部２０３以外の構成および動作については、上記実施の形態１と同様であるので説明を省略する。ただし、ここでは、受取人名刺交換情報格納部１０１に格納されている受取人名刺交換情報が、個人または組織等のＷＥＢページのＵＲＬを格納可能なものである場合について説明する。
【０１２６】
受取人識別子取得部２０３は、さらに、ＵＲＬ取得手段２０３０１、ＷＥＢページ取得手段２０３０２、関連判断手段２０３０３、受取人識別子取得手段２０３０４を備えている。
【０１２７】
受取人識別子取得部２０３は、用語受付部１０２が受け付けた用語に対応する名刺記載情報を含む受取人名刺交換情報が有する受取人識別子を取得する。本実施の形態における「受け付けた用語に対応する名刺記載情報」とは、具体的には、受取人名刺交換情報の名刺記載情報が有するＵＲＬから取得されるＷＥＢページの情報が、受け付けた用語に対応していることを意味する。ここでの、「対応している」とは、受け付けた用語に一致する用語がＷＥＢページの情報内に存在していること等であるが、詳細については、関連判断手段２０３０３において説明する。なお、名刺記載情報が受け付けた用語に対応するか否かを判断する処理以外の処理を行う構成については、上記実施の形態１の受取人識別子取得部と同様であるので説明は省略する。受取人識別子取得部２０３は、通常、ＭＰＵやメモリや無線または有線の通信手段等から実現され得る。受取人識別子取得部１０３の処理手順は、通常、ソフトウェアで実現され、当該ソフトウェアはＲＯＭ等の記録媒体に記録されている。但し、ハードウェア（専用回路）で実現しても良い。
【０１２８】
ＵＲＬ取得手段２０３０１は、名刺記載情報のＵＲＬを取得する。具体的には名刺記載情報のＵＲＬを読み出す。ＵＲＬ取得手段２０３０１は、通常、ＭＰＵやメモリ等から実現され得る。ＵＲＬ取得手段２０３０１の処理手順は、通常、ソフトウェアで実現され、当該ソフトウェアはＲＯＭ等の記録媒体に記録されている。但し、ハードウェア（専用回路）で実現しても良い。
【０１２９】
ＷＥＢページ取得手段２０３０２は、ＵＲＬ取得手段２０３０１が取得したＵＲＬが指定するＷＥＢページの情報を取得する。ＷＥＢページとは、インターネット経由でブラウザ用ソフトウェア等を用いて表示されるページである。ＷＥＢページの情報とは、ＷＥＢページを構成する情報であり、ＨＴＭＬ（ＨｙｐｅｒＴｅｘｔ  Ｍａｒｋｕｐ  Ｌａｎｇｕａｇｅ）ファイルや、静止画や動画の画像ファイル、ブラウザ用ソフトウェア上で動作可能なアプリケーションソフトウェアや、ＰＨＰ（Ｈｙｐｅｒｔｅｘｔ  Ｐｒｅｐｒｏｃｅｓｓｏｒ）等の、ＨＴＭＬファイル等を動的に生成するプログラムにより生成されるＷＥＢページの情報である。また、ＨＴＭＬファイルの生成等に利用されるデータベースや、ＸＭＬ（Ｅｘｔｅｎｓｉｂｌｅ  Ｍａｒｋｕｐ  Ｌａｎｇｕａｇｅ）ファイル等についても、ＷＥＢページの情報と考えても良い。例えば、ＷＥＢページ取得手段２０３０２は、ＷＥＢページの情報の取得命令を、ＵＲＬ取得手段２０３０１が取得したＵＲＬが示すサーバ装置（図示せず）に送信し、当該取得命令に応じて、ＷＥＢページの情報を受信する。ＷＥＢページ取得手段２０３０２は、取得命令を用いて、ＵＲＬが指定するＷＥＢページに対して関連している情報、例えばＵＲＬが指定するＷＥＢページに対して直接リンクしているＷＥＢページの情報、あるいは間接的にリンクしているＷＥＢページの情報、例えばリンク先のＷＥＢページ等がさらにリンクしているＷＥＢページの情報、あるいは、サーバ装置の同じディレクトリ内のＷＥＢページの情報等を受信する。ＷＥＢページ取得手段２０３０２は、通常、ＭＰＵやメモリと、無線または有線の通信手段等で実現され得る。ＷＥＢページ取得手段２０３０２が第一情報を取得するための処理手順は、通常、ソフトウェアで実現され、当該ソフトウェアはＲＯＭ等の記録媒体に記録されている。但し、ハードウェア（専用回路）で実現しても良い。
【０１３０】
関連判断手段２０３０３は、当該ＷＥＢページの情報から、用語受付部１０２が受け付けた用語との関連を判断する。例えば、ＷＥＢページの情報の全体または一部から、用語受付部１０２が受け付けた用語に一致する用語を検索する。そして、一致する用語がある場合や、一致する用語が、予め指定した数以上検出できた場合に、関連があると判断する。また、予め、用語と、用語に関連する用語、例えば類義語等とを対応付ける用語対応表等を図示しない記憶媒体等に格納しておき、関連判断手段２０３０３が一致する用語を検索する代わりに、用語受付部１０２が受け付けた用語に関連する用語、例えば類義語等を用語対応表から取得し、当該関連する用語に一致する用語が所定数以上あるか否か等を判断しても良い。ＷＥＢページの情報の一部とは、ＷＥＢページのタイトルの文字列であっても良いし、ＷＥＢページ上には表示されないいわゆるメタデータや、ＷＥＢページの情報の、予め指定したタグの要素のみであっても良い。また、受け付けた用語に関連する用語を、ＷＥＢページの情報から、ｔｆ・ｉｄｆのアルゴリズムにより算出した値が、予め指定した値以上の用語の中に受け付けた用語と一致するか否か、あるいは一致する数が所定数以上であるかを判断しても良い。ｔｆ・ｉｄｆについては公知技術であるので説明を省略する。関連判断手段２０３０３は、通常、ＭＰＵやメモリ等から実現され得る。関連判断手段２０３０３の処理手順は、通常、ソフトウェアで実現され、当該ソフトウェアはＲＯＭ等の記録媒体に記録されている。但し、ハードウェア（専用回路）で実現しても良い。
【０１３１】
受取人識別子取得手段２０３０４は、関連判断手段２０３０３が、受け付けた用語と関連があると判断したＷＥＢページのＵＲＬを名刺記載情報に含む受取人名刺交換情報が有する受取人識別子を取得する。受取人識別子取得手段２０３０４は、通常、ＭＰＵやメモリ等から実現され得る。受取人識別子取得手段２０３０４の処理手順は、通常、ソフトウェアで実現され、当該ソフトウェアはＲＯＭ等の記録媒体に記録されている。但し、ハードウェア（専用回路）で実現しても良い。
【０１３２】
次に、名刺情報管理装置２０の動作について説明する。用語受付部１０２が受け付けた用語に対応した受取人識別子を取得する処理以外の処理については、上記実施の形態１において図３に示したフローチャートの処理と同様であるので説明を省略する。以下、図１６のフローチャートを用いて、本実施の形態における、用語受付部１０２が受け付けた用語に対応した受取人識別子を取得する処理の詳細について説明する。ここで説明した処理は、図３のステップＳ３０４の処理に相当する処理である。
【０１３３】
（ステップＳ１６０１）受取人識別子取得部２０３は、カウンターｎに１を代入する。
【０１３４】
（ステップＳ１６０２）ＵＲＬ取得手段２０３０１は、ｎ番目の受取人名刺交換情報、例えばｎ番目のレコードの受取人名刺交換情報にＵＲＬが含まれるか否かを判断する。含まれる場合、ステップＳ１６０３に進み、含まれない場合、ステップＳ１６０７に進む。
【０１３５】
（ステップＳ１６０４）ＵＲＬ取得手段２０３０１は、ｎ番目の受取人名刺交換情報からＵＲＬを取得する。
【０１３６】
（ステップＳ１６０４）ＷＥＢページ取得手段２０３０２は、ステップＳ１６０３において取得したＵＲＬからＷＥＢページの情報を取得する。具体例としては、ステップＳ１６０３において取得したＵＲＬが示すサーバ装置（図示せず）に、ＷＥＢページの情報を送信させる命令である取得命令を送信し、当該取得命令に応じてサーバ装置が送信するＷＥＢページの情報を受信する。受信した情報は、図示しない記憶媒体等に一時記憶する。
【０１３７】
（ステップＳ１６０５）関連判断手段２０３０３は、ステップＳ１６０４で取得したＷＥＢページの情報に、用語受付部１０２が受け付けた用語に一致する用語が含まれるか否かを判断する。一致する用語が含まれる場合、ステップＳ１６０６に進み、一致する用語が含まれない場合、ステップＳ１６０７に進む。
【０１３８】
（ステップＳ１６０６）受取人識別子取得手段２０３０４は、ｎ番目の受取人名刺交換情報が有している受取人識別子を取得する。取得した受取人識別子を、図示しない記憶媒体等に一時記憶する。
【０１３９】
（ステップＳ１６０７）受取人識別子取得部２０３は、カウンターｎに１インクリメントする。
【０１４０】
（ステップＳ１６０８）受取人識別子取得部２０３は、ｎ番目の受取人名刺交換情報があるか否かを判断する。ある場合、ステップＳ１６０２に戻り、ない場合、上位の処理にリターンする。リターンした時点で記憶媒体等に記憶されている受取人識別子が、受取人識別子取得部２０３が取得した受取人識別子である。
【０１４１】
なお、図１６のフローチャートにおいて、ステップＳ１６０５において、関連判断手段２０３０３は、ＷＥＢページの情報に、用語受付部１０２が受け付けた用語に一致する用語が含まれるか否かにより、ＷＥＢページの情報と用語とが関連するか否かを判断する例について説明したが、関連判断手段２０３０３は、上述したようなどのような方法により関連を判断するようにしても良い。
【０１４２】
なお、図１６のフローチャートにおいて、電源オフや処理終了の割り込みにより処理は終了する。
【０１４３】
以下、本実施の形態における名刺情報管理システムの具体的な動作について説明する。名刺情報管理システムの概念図は図１７である。この名刺情報管理システムは、上記実施の形態１において図１に示した名刺情報管理システムにおいて、名刺情報管理装置として名刺情報管理装置２０を設けるとともに、ネットワークに接続されたサーバ装置３０を１以上設けるようにしたものである。このサーバ装置３０は、ＷＥＢページの情報を格納しており、外部からの取得指示に応じて、ＷＥＢページの情報を、取得指示の発信元に送信する機能を有するものであるとする。なお、ここでは、サーバ装置３０を一つだけ示しているが、サーバ装置３０は１以上であればよい。また、ここでは、説明を簡単にするために、グループ属性情報を利用しない場合について説明する。
【０１４４】
名刺情報入力装置１１の操作によって、受取人名刺交換情報が名刺情報管理装置２０に蓄積される構成等については、上記実施の形態１と同様であるので、ここでは説明を省略する。
【０１４５】
次に、名刺情報管理装置２０の用語受付部１０２が用語、例えば「電池」を受け付けた場合、図５に示したような受取人名刺交換情報格納部１０１に格納されている受取人名刺交換情報の１つめのレコードから、受取人識別子取得部２０３のＵＲＬ取得手段２０３０１が、「ＷＥＢページ」の属性値であるＵＲＬを取得する。なお、ＵＲＬを受取人名刺交換情報からどのように取得しても良く、例えば、予め指定してあるＵＲＬが格納されている属性の値を取得しても良いし、「ｈｔｔｐ：／／」で始まる文字列を受取人名刺交換情報内で検索して、検出した文字列をＵＲＬと判断して取得しても良い。ここでは、一つめのレコードのＵＲＬである「ｈｔｔｐ：／／ｐｑｚ．ｊｐ」を取得する。
【０１４６】
ＷＥＢページ取得手段２０３０２は、ＵＲＬ取得手段２０３０１が取得したＵＲＬである「ｈｔｔｐ：／／ｐｑｚ．ｊｐ」が示すインターネット上の場所に対して、ＷＥＢページの情報の送信を要求する指示である取得命令を送信する。
【０１４７】
ここでは、サーバ装置３０のＵＲＬが「ｈｔｔｐ：／／ｐｑｚ．ｊｐ」であったとすると、サーバ装置３０は、ＷＥＢページ取得手段２０３０２から送信される取得命令に従って、ＵＲＬが示すディレクトリから、ＷＥＢページの情報であるｈｔｍｌファイルを読み出し、取得命令の送信元である名刺情報管理装置２０に送信する。
【０１４８】
ＷＥＢページ取得手段２０３０２は、サーバ装置３０から送信されるＷＥＢページの情報であるＨＴＭＬファイルを受信する。図１７は、ＷＥＢページ取得手段２０３０２が取得したＨＴＭＬファイルの例を示す図である。
【０１４９】
関連判断手段２０３０３は、ＷＥＢページ取得手段２０３０２が受信したＷＥＢページの情報であるＨＴＭＬファイル内のメタタグ内のキーワードの文字列を読み出す。例えばメタタグのキーワードの文字列とは、「＜ｍｅｔａ  ｎａｍｅ＝"Ｋｅｙｗｏｒｄｓ"  ｃｏｎｔｅｎｔ＝"キーワード"＞」という記述における「キーワード」の部分の、カンマで区切った文字列である。そして読み出したキーワードの文字列に、用語受付部１０２が受け付けた用語に一致する用語があるか否かを判断する。ここでは、サーバ装置３０から送信されたＨＴＭＬファイルファイルに含まれるキーワードが、「ポリマー、電池、リチウム、ニッケル水素、バッテリー」であったとすると、「電池」という用語に一致する文字列が有りと判断される。即ち用語に関連があると判断される。
【０１５０】
受取人識別子取得手段２０３０４は、関連判断手段２０３０３が用語に関連があると判断したため、この受取人名刺交換情報が有する受取人識別子を取得し、図示しない記憶媒体等に蓄積する。
【０１５１】
そして、以降の受取人名刺交換情報についても順次、同様の処理を行う。なお、ＵＲＬが含まれていない場合や、用語に一致する文字列がＷＥＢページ取得手段２０３０２が取得したＷＥＢページの情報内にない場合には、次の受取人名刺交換情報について同様の処理を行う。
【０１５２】
また、１のＵＲＬについての関連判断手段２０３０３の判断結果を記憶媒体等に一時記憶しておき、異なるレコードに同じＵＲＬが出てきた場合には、サーバ装置からのＷＥＢページの情報を取得する処理等を省略して、以前の関連判断手段２０３０３の判断結果を、その判断結果として読み出すようにしても良い。これにより、サーバ装置への重複したアクセスが不要となり、処理時間を大幅に短縮できる。
【０１５３】
全ての受取人名刺交換情報から受取人識別子取得部２０３が受取人識別子を取得する処理を行った後の処理については、上記実施の形態１と同様であるので、ここでは説明を省略する。
【０１５４】
以上、本実施の形態によれば、上記実施の形態１と同様の効果を奏するとともに、名刺記載情報のＵＲＬを用いて取得したＷＥＢページの情報が用語に対応するか否か、具体的には一致するか否かを判断し、対応する場合にこのＵＲＬを有する名刺記載情報を含む受取人名刺記載情報が有する受取人識別子を取得するようにしたことにより、各名刺の記載者が、名刺に記載されている情報であるＵＲＬからたどることが可能な情報も含めて用語に関連した人であるか判断することができる。これにより、用語に関する人脈のある人を、より正確に抽出することが可能となる。
【０１５５】
例えば、ユーザＡが、携帯電話に関連したある会社を訪問しようと考えた場合において、本実施の形態の名刺情報管理システムに「携帯電話」という用語を入力すると、ユーザＡと同じ会社内の、「携帯電話」について良く知っている人をよく知っている人を、ユーザＡに提示することができる。この提示された同じ社内の人に携帯電話についていろいろヒアリングすることで、ユーザＡは、会社を訪問する前に、携帯電話に関する下調べを効率良く行うことが可能となる。このようにして、社内の人材を有効利用することができる。
【０１５６】
なお、上記各実施の形態において、各処理（各機能）は、単一の装置（システム）によって集中処理されることによって実現されてもよく、あるいは、複数の装置によって分散処理されることによって実現されてもよい。
【０１５７】
また、上記各実施の形態において、一の装置に存在する２以上の通信手段（情報送信部など）は、物理的に一の媒体で実現されても良いことは言うまでもない。
【０１５８】
また、上記実施の形態において、各構成要素が実行する処理に関係する情報、例えば、各構成要素が受け付けたり、取得したり、選択したり、生成したり、送信したり、受信したりする情報や、各構成要素が処理で用いるしきい値や数式、アドレス等の情報等は、上記説明で明記していない場合であっても、図示しない記録媒体において、一時的に、あるいは長期にわたって保持されていてもよい。また、その図示しない記録媒体への情報の蓄積を、各構成要素、あるいは、図示しない蓄積部が行ってもよい。また、その図示しない記録媒体からの情報の読み出しを、各構成要素、あるいは、図示しない読み出し部が行ってもよい。
【０１５９】
また、上記各実施の形態では、名刺情報管理装置がサーバ・クライアントシステムにおけるサーバ装置である場合について説明したが、名刺情報管理装置は、スタンドアロンの装置であってもよい。この場合、出力部や受付部は、入力デバイス等を介して直接入力を受け付けたり、画面を出力したりすることになる。
【０１６０】
また、上記各実施の形態において、各構成要素は専用のハードウェアにより構成されてもよく、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。
【０１６１】
なお、上記各実施の形態における名刺情報管理装置を実現するソフトウェアは、以下のようなプログラムである。つまり、このプログラムは、コンピュータを、用語を受け付ける用語受付部と、名刺を受け取った人である受取人を識別する受取人識別子と、当該受取人識別子で識別される受取人が受け取った名刺に記載された情報である１以上の名刺記載情報と、を有する受取人名刺交換情報を１以上格納している受取人名刺交換情報格納部から、前記用語受付部が受け付けた用語に対応する名刺記載情報を含む受取人名刺交換情報が有する受取人識別子を取得する受取人識別子取得部と、前記受取人識別子取得部が取得した受取人識別子を出力する出力部として機能させるためのプログラムである。
【０１６２】
なお、上記プログラムにおいて、上記プログラムが実現する機能には、ハードウェアでしか実現できない機能は含まれない。例えば、情報を取得する取得部や、情報を出力する出力部などにおけるモデムやインターフェースカードなどのハードウェアでしか実現できない機能は、上記プログラムが実現する機能には含まれない。
【０１６３】
また、このプログラムを実行するコンピュータは、単数であってもよく、複数であってもよい。すなわち、集中処理を行ってもよく、あるいは分散処理を行ってもよい。
【０１６４】
図１８は、上記プログラムを実行して、上記実施の形態による名刺情報管理装置を実現するコンピュータの外観の一例を示す模式図である。上記実施の形態は、コンピュータハードウェア及びその上で実行されるコンピュータプログラムによって実現されうる。
【０１６５】
図１８において、コンピュータシステム９００は、ＣＤ−ＲＯＭ（Ｃｏｍｐａｃｔ  Ｄｉｓｋ  Ｒｅａｄ  Ｏｎｌｙ  Ｍｅｍｏｒｙ）ドライブ９０５、ＦＤ（Ｆｌｏｐｐｙ（登録商標）  Ｄｉｓｋ）ドライブ９０６を含むコンピュータ９０１と、キーボード９０２と、マウス９０３と、モニタ９０４とを備える。
【０１６６】
図１９は、コンピュータシステム９００の内部構成を示す図である。図１９において、コンピュータ９０１は、ＣＤ−ＲＯＭドライブ９０５、ＦＤドライブ９０６に加えて、ＭＰＵ（Ｍｉｃｒｏ  Ｐｒｏｃｅｓｓｉｎｇ  Ｕｎｉｔ）９１１と、ブートアッププログラム等のプログラムを記憶するためのＲＯＭ９１２と、ＭＰＵ９１１に接続され、アプリケーションプログラムの命令を一時的に記憶すると共に、一時記憶空間を提供するＲＡＭ（Ｒａｎｄｏｍ  Ａｃｃｅｓｓ  Ｍｅｍｏｒｙ）９１３と、アプリケーションプログラム、システムプログラム、及びデータを記憶するハードディスク９１４と、ＭＰＵ９１１、ＲＯＭ９１２等を相互に接続するバス９１５とを備える。なお、コンピュータ９０１は、ＬＡＮへの接続を提供する図示しないネットワークカードを含んでいてもよい。
【０１６７】
コンピュータシステム９００に、上記実施の形態による名刺情報管理装置の機能を実行させるプログラムは、ＣＤ−ＲＯＭ９２１、またはＦＤ９２２に記憶されて、ＣＤ−ＲＯＭドライブ９０５、またはＦＤドライブ９０６に挿入され、ハードディスク９１４に転送されてもよい。これに代えて、そのプログラムは、図示しないネットワークを介してコンピュータ９０１に送信され、ハードディスク９１４に記憶されてもよい。プログラムは実行の際にＲＡＭ９１３にロードされる。なお、プログラムは、ＣＤ−ＲＯＭ９２１やＦＤ９２２、またはネットワークから直接、ロードされてもよい。
【０１６８】
プログラムは、コンピュータ９０１に、上記実施の形態による名刺情報管理装置の機能を実行させるオペレーティングシステム（ＯＳ）、またはサードパーティプログラム等を必ずしも含んでいなくてもよい。プログラムは、制御された態様で適切な機能（モジュール）を呼び出し、所望の結果が得られるようにする命令の部分のみを含んでいてもよい。コンピュータシステム９００がどのように動作するのかについては周知であり、詳細な説明は省略する。
【０１６９】
本発明は、以上の実施の形態に限定されることなく、種々の変更が可能であり、それらも本発明の範囲内に包含されるものであることは言うまでもない。
【産業上の利用可能性】
【０１７０】
以上のように、本発明にかかる名刺情報管理装置等は、名刺の情報を管理する装置等として適しており、特に、名刺の情報から、人脈を示す情報を取得して提示する装置等として有用である。
【図面の簡単な説明】
【０１７１】
【図１】実施の形態１における名刺情報管理システムの概念図
【図２】同名刺情報管理システムのブロック図
【図３】同名刺情報管理装置の動作について説明するフローチャート
【図４】同ユーザＩＤ管理表の一例を示す図
【図５】同受取人名刺交換情報管理表の一例を示す図
【図６】同受取人情報管理表の一例を示す図
【図７】同取得識別子管理表の一例を示す図
【図８】同名刺情報管理システムの表示例を示す図
【図９】同受取人識別子と関連情報との一例を示す図
【図１０】同関連情報管理表を示す図
【図１１】同受取人識別子について取得した重み付け値を示す図
【図１２】同受取人識別子と受付時期情報との一例を示す図
【図１３】同経過期間管理表の一例を示す図
【図１４】同受取人識別子について取得した重み付け値を示す図
【図１５】実施の形態２における名刺情報管理システムのブロック図
【図１６】同名刺情報管理装置の用語受付部の処理を説明するためのフローチャート
【図１７】同名刺情報管理システムの概念図
【図１８】各実施の形態におけるコンピュータシステムの外観一例を示す模式図
【図１９】各実施の形態におけるコンピュータシステムの構成の一例を示す図
【符号の説明】
【０１７２】
１、２  名刺情報管理システム
１０、２０  名刺情報管理装置
１１  名刺情報入力装置
１２  入出力装置
３０  サーバ装置
１０１  受取人名刺交換情報格納部
１０２  用語受付部
１０３、２０３  受取人識別子取得部
１０４  受取人識別子選択部
１０５  出力部
１０６  グループ属性情報取得部
１０７  受取人名刺情報受付部
１０８  受取人名刺交換情報蓄積部
１１１  名刺入力受付部
１１２  名刺情報送信部
１２１  用語入力受付部
１２２  用語送信部
１２３  情報受信部
１２４  情報出力部
２０３０１  ＵＲＬ取得手段
２０３０２  ＷＥＢページ取得手段
２０３０３  関連判断手段
２０３０４  受取人識別子取得手段
【図１】
0005109184.tif 000002
【図２】
0005109184.tif 000003
【図３】
0005109184.tif 000004
【図４】
0005109184.tif 000005
【図５】
0005109184.tif 000006
【図６】
0005109184.tif 000007
【図７】
0005109184.tif 000008
【図８】
0005109184.tif 000009
【図９】
0005109184.tif 000010
【図１０】
0005109184.tif 000011
【図１１】
0005109184.tif 000012
【図１２】
0005109184.tif 000013
【図１３】
0005109184.tif 000014
【図１４】
0005109184.tif 000015
【図１５】
0005109184.tif 000016
【図１６】
0005109184.tif 000017
【図１７】
0005109184.tif 000018
【図１８】
0005109184.tif 000019
【図１９】
0005109184.tif 000020